(57)【要約】【課題】【解決手段】流体をシリンジ（３００）から患者へ注入するための医療用インジェクターシステムであって、シリンジ（３００）は、シリンジバレル（３００）及びプランジャー（３１０）を具えており、プランジャー（３１０）は、プランジャーハンドル（１３０）によって着脱可能に係合されるように作られている係合部分（３１１）を有する内面を具えており、プランジャーハンドル（１３０）は、プランジャー（３１０）の係合部分（３１１）と着脱可能に係合するように作られている保持部材（１４２）を有しており、シリンジホルダーは、シリンジ（３００）をホルダー部材（２００）内に着脱可能にロックするために、シリンジ（３００）のバレル（３００）及び枢動可能なキャッチ（５００）を受け入れるように作られているホルダー部材（２００）を具えている。
2004501737.tif 000002
【特許請求の範囲】
【請求項１】
医療用インジェクター用のシリンジホルダーであって、
（ｉ）　シリンジのバレルを受ける様に形成されたホルダー部材と、
（ｉｉ）　ホルダー部材内のシリンジを取外し可能にロックする回動可能なキャッチとを具え、キャッチは第１の位置に付勢されて、該第１の位置にてシリンジに係合し、第２の位置にてシリンジとの係合を外すシリンジホルダー。
【請求項２】
ホルダー部材上に設置された位置決め装置を具え、該位置決め装置は、シリンジの一端部をホルダー部材の所定の位置に位置決めする請求項１のシリンジホルダー。
【請求項３】
ホルダー部材はスリーブである請求項１のシリンジホルダー。
【請求項４】
スリーブは、圧力下にて膨張に抗してシリンジを支持する様に形成された請求項３のシリンジホルダー。
【請求項５】
キャッチは、シリンジの前側肩部に係合する請求項１のシリンジホルダー。
【請求項６】
キャッチはホルダー部材に設けられた孔を通ってシリンジに係合する請求項１のシリンジホルダー。
【請求項７】
ホルダー部材は、キャッチが解除された際、ホルダー部材からシリンジを部分的に排出する付勢部材を有する請求項１のシリンジホルダー。
【請求項８】
付勢部材はバネを具える請求項７のシリンジホルダー。
【請求項９】
付勢部材はシリンジに係合して、シリンジの回転を最小にする様に形成された請求項７のシリンジホルダー。
【請求項１０】
シリンジの前側肩部は、キャッチの係合部に対して相補的な形状である請求項１のシリンジホルダー。
【請求項１１】
キャッチの係合部は、凹んでいる請求項１０のシリンジホルダー。
【請求項１２】
キャッチの係合部は、凸状である請求項１０のシリンジホルダー。
【請求項１３】
キャッチは、楔型である請求項１０のシリンジホルダー。
【請求項１４】
ホルダーは、医療用インジェクターと簡単に取り外し可能に係合できるようにした係合部を具えた請求項１に記載のシリンジホルダー。
【請求項１５】
係合部はロック部材を具える請求項１４のシリンジホルダー。
【請求項１６】
ロック部材はスロットを具える請求項１５のシリンジホルダー。
【請求項１７】
ロック部材は、ピンを具える請求項１５のシリンジホルダー。
【請求項１８】
医療用インジェクターからホルダーの解放を規制する防止部材を具える請求項１５のシリンジホルダー。
【請求項１９】
防止部材は、シリンジがホルダー内にあるときは、医療用インジェクターからホルダーが解放されることを止める請求項１８のシリンジホルダー。
【請求項２０】
防止部材は、プランジャーが特定の位置にないときは、医療用インジェクターからホルダーが解放されることを止める請求項１８のシリンジホルダー。
【請求項２１】
防止部材は、プランジャーが十分に引き込まれた状態にないときは、医療用インジェクターからホルダーが解放されることを止める請求項１９のシリンジホルダー。
【請求項２２】
請求項１８３の医療用インジェクターシステムについて用いるための請求項１のシリンジホルダー。
【請求項２３】
請求項１８９の医療用インジェクターシステムについて用いるための請求項１のシリンジホルダー。
【請求項２４】
請求項１９３の医療用インジェクターシステムについて用いるための請求項１のシリンジホルダー。
【請求項２５】
請求項２０１の医療用インジェクターシステムについて用いるための請求項１のシリンジホルダー。
【請求項２６】
請求項２０５の医療用インジェクターシステムについて用いるための請求項１のシリンジホルダー。
【請求項２７】
請求項２１３の医療用インジェクターシステムについて用いるための請求項１のシリンジホルダー。
【請求項２８】
請求項１５４の医療用インジェクターシステムについて用いるための請求項１のシリンジホルダー。
【請求項２９】
請求項１５５の医療用インジェクターシステムについて用いるための請求項１のシリンジホルダー。
【請求項３０】
シールされた容器からの医療用流体でシリンジを満たす方法であって、医療用インジェクターシステムについて用いるシリンジは請求項１のシリンジホルダーを具えており、
（ｉ）　シリンジの前部を相対的に後部に対して上げる工程と、
（ｉｉ）　プランジャーを患者の所定用量に対応したシリンジ内の位置にプランジ
ャーを進める工程と、
（ｉｉｉ）　一連の前後移動に於けるプランジャーの動きを制御し、シリンジ及び全ての取り付けられたチューブから空気を容器ボトル内に吐き出し、そして流体の所望用量をシリンジ内に引き込む工程を具えた方法。
【請求項３１】
更にシリンジの向きによってプランジャーの動く方向を自動的に制限する工程を含む請求項３０のシリンジを充填する方法。
【請求項３２】
後部に対して前部が上がる姿勢に向けられたときに、プランジャーは前方又は後方の何れかに動き、前部に対して後部が上がる姿勢に向けられたとき前方にのみ動く請求項３１のシリンジを充填する方法。
【請求項３３】
請求項１のシリンジホルダーを具えた医療用インジェクターシステムを用いて患者に注入する方法であって、
（ｉ）　摺動可能にシリンジバレルに係合するハブにプランジャーを係合する工程と、
（ｉｉ）　ハブをシリンジバレルに沿って動かす工程と、
（ｉｉｉ）　シリンジから流体を患者内に放出する工程を具えた方法。
【請求項３４】
請求項１４のシリンジホルダーを医療用インジェクターに係合する方法であって、
（ｉ）　シリンジホルダーの係合部を医療用シリンジ上の相補部分に合わせる工程と、
（ｉｉ）　シリンジホルダーを医療用インジェクターに係合する工程を具えた方法
。
【請求項３５】
医療用インジェクターから請求項１４のシリンジホルダーの係合を外す方法であって、
（ｉ）　医療用インジェクターからシリンジホルダーの係合部を外す工程と、
（ｉｉ）　医療用インジェクターからシリンジホルダーを取り外す工程を具えた方
法。
【請求項３６】
請求項１のシリンジホルダーにシリンジを装填する方法であって、
（ｉ）　キャッチが移動するようにシリンジバレルをホルダー部材に挿入する工程と、
（ｉｉ）　キャッチ機構を付勢された位置に戻るようにして、シリンジと係合し、
それによってシリンジをホルダー部材内に保持する工程を具えた方法。
【請求項３７】
請求項１のシリンジホルダーからシリンジを外す方法であって、
（ｉ）　キャッチを解除して、シリンジをロック解除する工程と、
（ｉｉ）　ホルダー部材からシリンジを引き出す工程を具えた方法。
【請求項３８】
シリンジについて用いる請求項１のシリンジホルダーは、請求項４３のハブを具えている。
【請求項３９】
請求項７４のプランジャーについて用いるための請求項１のシリンジホルダー。
【請求項４０】
請求項１０９のプランジャーについて用いるための請求項１のシリンジホルダー。
【請求項４１】
請求項１５７のセンサシステムについて用いるための請求項１のシリンジホルダー。
【請求項４２】
請求項１６６のセンサシステムについて用いるための請求項１のシリンジホルダー。
【請求項４３】
医療用インジェクターシステムについて用いるシリンジ用のハブであって、摺動可能にシリンジバレルに係合する様に形成された外面と、プランジャーと着脱可能に係合するように形成された略環状の係合部を有する内面とを具え、
ハブがプランジャーによってバレルに沿って選択的に引き出されることを特徴とするハブ。
【請求項４４】
係合部は空洞を構成している請求項４３のハブ。
【請求項４５】
係合部は溝を有する請求項４３のハブ。
【請求項４６】
溝は少なくとも部分的には、ハブの内面の周囲に沿って延びている請求項４５のハブ。
【請求項４７】
係合部は隆条である請求項４３のハブ。
【請求項４８】
ハブの内面は、プランジャーの外面形状と相補的な形状である請求項４３のハブ。
【請求項４９】
内面は、プランジャーに接する内側の窪みを具えている請求項４８のハブ。
【請求項５０】
ハブはシールを具える請求項４３のハブ。
【請求項５１】
シールは延びた前縁を有して、圧力下のシール効果を増加させる請求項５０のハブ。
【請求項５２】
請求項１８３の医療用インジェクターシステムについて用いるための請求項４３のハブ。
【請求項５３】
請求項１８９の医療用インジェクターシステムについて用いるための請求項４３のハブ。
【請求項５４】
請求項１９３の医療用インジェクターシステムについて用いるための請求項４３のハブ。
【請求項５５】
請求項２０１の医療用インジェクターシステムについて用いるための請求項４３のハブ。
【請求項５６】
請求項２０５の医療用インジェクターシステムについて用いるための請求項４３のハブ。
【請求項５７】
請求項２１３の医療用インジェクターシステムについて用いるための請求項４３のハブ。
【請求項５８】
請求項１５４のシリンジについて用いるための請求項４３のハブ。
【請求項５９】
請求項１５５のシリンジについて用いるための請求項４３のハブ。
【請求項６０】
シールされた容器からの医療用流体でシリンジを満たす方法であって、シリンジは請求項４３のハブを具え、
（ｉ）　シリンジの前部を相対的に後部に対して上げる工程と、
（ｉｉ）　所定の患者用量に対応したシリンジ内の位置にプランジャーを進める工程と、
（ｉｉｉ）　一連の前後移動に於けるプランジャーの動きを制御し、シリンジ及び全ての取り付けられたチューブから空気を容器ボトル内に吐き出し、そして流体の所望用量をシリンジ内に引き込む工程を具えた方法。
【請求項６１】
更にシリンジの向きによってプランジャーの動く方向を自動的に制限する工程を含む請求項６０のシリンジを満たす方法。
【請求項６２】
後部に対して前部が上げられる姿勢に向けられたときに、プランジャーは前方又は後方の何れかに動き、前部に対して後部が上げられる姿勢に向けられたとき前方にのみ動く請求項６１のシリンジを満たす方法。
【請求項６３】
請求項４３のハブを具えるシリンジ及び医療用インジェクターシステムを用いて患者に注入する方法であって、
（ｉ）　摺動可能にシリンジバレルに係合するハブにプランジャーを係合する工程と、
（ｉｉ）　ハブをシリンジバレルに沿って動かす工程と、
（ｉｉｉ）　シリンジから流体を患者内に放出する工程を具えた方法。
【請求項６４】
請求項４３のハブを具えたシリンジを、シリンジホルダー内に装填する方法であって、
（ｉ）　キャッチが変位するようにシリンジバレルをホルダー部材に挿入する工程と、
（ｉｉ）　キャッチ機構を付勢された位置に戻るようにして、シリンジと係合し、
それによってシリンジをホルダー部材内に保持する工程を具えた方法。
【請求項６５】
請求項４３のハブを具えたシリンジを、シリンジホルダーから取り外す方法であって、
（ｉ）　キャッチを解除して、シリンジをロック解除する工程と、
（ｉｉ）　ホルダー部材からシリンジを引き出す工程を具えた方法。
【請求項６６】
請求項４３のシリンジハブを、請求項７４のプランジャーに接続する方法であって、
（ｉ）　ハブが摺動可能に係合するシリンジバレル内にプランジャーを導入し、プランジャーをハブの内面に係合する工程と、
（ｉｉ）　保持部材がハブの係合部に係合するように、プランジャーを駆動する工程を具える方法。
【請求項６７】
請求項４３のハブと請求項７４のプランジャーを具えたシリンジを手動で満たす方法であって、
（ｉ）　シリンジバレル内にプランジャーを導入し、プランジャーをハブの内面に係合する工程と、
（ｉｉ）　保持部材がハブの係合部に係合するように、プランジャーを駆動する工
程と、
（ｉｉｉ）　係合したハブをシリンジバレルに沿って引き出し、その間にシリンジ内に液体を引き込む工程を具えた方法。
【請求項６８】
請求項１のシリンジホルダーについて用いるための請求項４３のハブ。
【請求項６９】
請求項７４のプランジャーについて用いるための請求項４３のハブ。
【請求項７０】
請求項１０９のプランジャーについて用いるための請求項４３のハブ。
【請求項７１】
請求項１３６の装置について用いるための請求項４３のハブ。
【請求項７２】
請求項１５７のセンサシステムについて用いるための請求項４３のハブ。
【請求項７３】
請求項１６６のセンサシステムについて用いるための請求項４３のハブ。
【請求項７４】
医療用インジェクターシステムについて用いられるシリンジ用のプランジャーであって、シリンジはバレル及び摺動可能にバレルに係合するハブを具え、プランジャーはハブの内面上の略環状の係合部に取外し可能に係合する様に形成された保持部材を具え、ハブはプランジャーによってバレルに沿って選択的に引き出されるプランジャー。
【請求項７５】
保持部材は機械的及び／又は電気的に取外し可能にハブに係合する請求項７４のプランジャー。
【請求項７６】
取外し可能な係合は、少なくとも一部が錘機構によって動かされる請求項７５のプランジャー。
【請求項７７】
取外し可能な係合は、プランジャーの引込みにより動かされする請求項７４のプランジャー。
【請求項７８】
保持部材は、ハブとの係合から離れるように付勢されている請求項７４のプランジャー。
【請求項７９】
保持部材は、少なくとも一部が、プランジャーに設けられた孔内に、配備された作動部材を具え、ロック部材が保持部材及び／又はプランジャーの一端部に又は一端部の隣に位置し、該ロック部材は保持部材によって、ハブの係合部と係合し、又は係合から外れるように動くことができる請求項７４のプランジャー。
【請求項８０】
保持部材はカムを具える請求項７９のプランジャー。
【請求項８１】
保持部材は円錐を具える請求項７９のプランジャー。
【請求項８２】
作動部材はロッド部及びノーズ部を有し、ロック部材はロック解除位置にて、プランジャーとノーズ部との間に位置する請求項７９のプランジャー。
【請求項８３】
作動部材は、プランジャー内の孔の長手方向に沿って動くことができる請求項７９のプランジャー。
【請求項８４】
保持部材はピンを具える請求項７４のプランジャー。
【請求項８５】
手動でシリンジを満たす様に形成された請求項７４のプランジャー。
【請求項８６】
シリンジが使用された後は、プランジャーはハブと係合できない請求項８５のプランジャー。
【請求項８７】
プランジャーはシリンジバレルよりも十分短く、ハブがシリンジバレルの最前部に位置するときは、プランジャーはハブに達することができない請求項８６のプランジャー。
【請求項８８】
請求項１８３の医療用インジェクターシステムについて用いるための請求項７４のプランジャー。
【請求項８９】
請求項１８９の医療用インジェクターシステムについて用いるための請求項７４のプランジャー。
【請求項９０】
請求項１９３の医療用インジェクターシステムについて用いるための請求項７４のプランジャー。
【請求項９１】
請求項２０１の医療用インジェクターシステムについて用いるための請求項７４のプランジャー。
【請求項９２】
請求項２０５の医療用インジェクターシステムについて用いるための請求項７４のプランジャー。
【請求項９３】
請求項２１３の医療用インジェクターシステムについて用いるための請求項７４のプランジャー。
【請求項９４】
請求項１５４のシリンジについて用いるための請求項７４のプランジャー。
【請求項９５】
請求項１５５のシリンジについて用いるための請求項７４のプランジャー。
【請求項９６】
請求項７４のプランジャーを具える医療用インジェクターシステムを用いて、シールされた容器からの医療用流体にてシリンジを満たす方法であって、
（ｉ）　シリンジの前部を後部に対して相対的に上げる工程と、
（ｉｉ）　プランジャーを所定の患者用量に対応したシリンジ内の位置にプランジ
ャーを進める工程と、
（ｉｉｉ）　一連の前後移動に於けるプランジャーの動きを制御し、シリンジ及び全ての取り付けられたチューブから空気を容器ボトル内に吐き出し、そして流体の所望用量をシリンジ内に引き込む工程を具えた方法。
【請求項９７】
更に、シリンジの姿勢によってプランジャーの動く方向を自動的に制限する工程を含む請求項９６のシリンジを満たす方法。
【請求項９８】
更に、後部に対して前部が上げられる姿勢に向けられたときに、プランジャーは前方又は後方の何れかに動き、前部に対して後部が上げられる姿勢に向けられたときに前方にのみ動く請求項９７のシリンジを満たす方法。
【請求項９９】
請求項７４のプランジャーを具えた医療用インジェクターシステムを用いて患者に注入する方法であって、
（ｉ）　摺動可能にシリンジバレルに係合するハブにプランジャーを係合する工程と、
（ｉｉ）　ハブをシリンジバレルに沿って動かす工程と、
（ｉｉｉ）　シリンジから流体を患者内に放出する工程を具えた方法。
【請求項１００】
請求項７４のプランジャーを具えた医療用インジェクターシステムのシリンジホルダー内にシリンジを装填する方法であって、
（ｉ）　キャッチが変位するようにシリンジバレルをホルダー部材に挿入する工程と、
（ｉｉ）　キャッチ機構を付勢された位置に戻らせて、シリンジと係合し、それによってシリンジをホルダー部材内に保持する工程を具えた方法。
【請求項１０１】
請求項７４のプランジャーを具えた医療用インジェクター内のシリンジホルダーからシリンジを取り外す方法であって、
（ｉ）　キャッチを解放して、シリンジをロック解除する工程と、
（ｉｉ）　ホルダー部材からシリンジを引き出す工程を具えた方法。
【請求項１０２】
請求項４３のシリンジハブを、請求項７４のプランジャーに接続する方法であって、
（ｉ）　ハブが摺動可能に係合しているシリンジバレル内にプランジャーを導入し、プランジャーをハブの内面に係合する工程と、
（ｉｉ）　保持部材がハブの係合部に係合するように、プランジャーを駆動する工
程を具える方法。
【請求項１０３】
請求項４３のハブと請求項７４のプランジャーを具えたシリンジを手動で満たす方法であって、
（ｉ）　シリンジバレル内にプランジャーを導入し、プランジャーをハブの内面に係合する工程と、
（ｉｉ）　保持部材がハブの係合部に係合するように、プランジャーを駆動する工
程と、
（ｉｉｉ）　シリンジ内に液体を引き込む間に、係合したハブをシリンジバレルに沿って引き出す工程を具えた方法。
【請求項１０４】
請求項１のシリンジホルダーについて用いるための請求項７４のプランジャー。
【請求項１０５】
請求項４３のハブを具えたシリンジについて用いるための請求項７４のプランジャー。
【請求項１０６】
請求項１３６の装置について用いるための請求項７４のプランジャー。
【請求項１０７】
請求項１５７のセンサシステムについて用いるための請求項７４のプランジャー。
【請求項１０８】
請求項１６６のセンサシステムについて用いるための請求項７４のプランジャー。
【請求項１０９】
医療用インジェクターシステムについて用いられるシリンジ用のプランジャーであって、シリンジはバレル及び摺動可能にバレルに係合するハブを具え、プランジャーは、
（ｉ）　ハブの係合部と取外し可能に係合する様に形成され、プランジャーによってハブをバレルに沿って選択的に引き出す保持部材と、
（ｉｉ）　プランジャーとハブとの間の係合レベルを検出するセンサを具えている
プランジャー。
【請求項１１０】
センサは、プランジャーとハブとの間の十分な係合を検出する請求項１０９のプランジャー。
【請求項１１１】
光センサを具える請求項１０９のプランジャー。
【請求項１１２】
光センサは光ファイバケーブルを具える請求項１１１のプランジャー。
【請求項１１３】
機械的センサを具える請求項１０９のプランジャー。
【請求項１１４】
電磁気センサを具える請求項１０９のプランジャー。
【請求項１１５】
請求項１８３の医療用インジェクターシステムについて用いるための請求項１０９のプランジャー。
【請求項１１６】
請求項１８９の医療用インジェクターシステムについて用いるための請求項１０９のプランジャー。
【請求項１１７】
請求項１９３の医療用インジェクターシステムについて用いるための請求項１０９のプランジャー。
【請求項１１８】
請求項２０１の医療用インジェクターシステムについて用いるための請求項１０９のプランジャー。
【請求項１１９】
請求項２０５の医療用インジェクターシステムについて用いるための請求項１０９のプランジャー。
【請求項１２０】
請求項２１３の医療用インジェクターシステムについて用いるための請求項１０９のプランジャー。
【請求項１２１】
請求項１５４のシリンジについて用いるための請求項１０９のプランジャー。
【請求項１２２】
請求項１５５のシリンジについて用いるための請求項１０９のプランジャー。
【請求項１２３】
請求項１０９のプランジャーを具える医療用インジェクターシステムを用いて、シールされた容器からの医療用流体にてシリンジを満たす方法であって、
（ｉ）　シリンジの前部を後部に対して相対的に上げる工程と、
（ｉｉ）　プランジャーを所定の患者用量に対応したシリンジ内の位置にプランジャーを進める工程と、
（ｉｉｉ）　一連の前後移動に於けるプランジャーの動きを制御し、シリンジ及び全ての取り付けられたチューブから空気を容器ボトル内に吐き出し、流体の所望用量をシリンジ内に引き込む工程を具えた方法。
【請求項１２４】
更に、シリンジの姿勢によってプランジャーの動く方向を自動的に制限する工程を含む請求項１２３のシリンジを満たす方法。
【請求項１２５】
更に、後部に対して前部が上がる姿勢に向けられたときに、プランジャーは前方又は後方の何れかに動き、前部に対して後部が上がる姿勢に向けられたとき前方にのみ動く請求項１２４のシリンジを満たす方法。
【請求項１２６】
請求項１０９のプランジャーを具えた医療用インジェクターシステムを用いて患者に注入する方法であって、
（ｉ）　摺動可能にシリンジバレルに係合しているハブにプランジャーを係合する工程と、
（ｉｉ）　ハブをシリンジバレルに沿って動かす工程と、
（ｉｉｉ）　シリンジから流体を患者内に放出する工程を具えた方法。
【請求項１２７】
請求項１０９のプランジャーを具えた医療用インジェクターシステムのシリンジホルダー内にシリンジを装填する方法であって、
（ｉ）　キャッチが変位するようにシリンジバレルをホルダー部材に挿入する工程と、
（ｉｉ）　キャッチ機構を付勢された位置に戻らせて、シリンジと係合し、それによってシリンジをホルダー部材内に保持する工程を具えた方法。
【請求項１２８】
請求項１０９のプランジャーを具えた医療用インジェクター内のシリンジホルダーからシリンジを取り外す方法であって、
（ｉ）　キャッチを解除して、シリンジをロック解除する工程と、
（ｉｉ）　ホルダー部材からシリンジを引き出す工程を具えた方法。
【請求項１２９】
請求項４３のシリンジハブを請求項１０９のプランジャーに接続する方法であって、
（ｉ）　ハブが摺動可能に係合するシリンジバレル内にプランジャーを導入し、プランジャーをハブの内面に係合する工程と、
（ｉｉ）　保持部材がハブの係合部に係合するように、プランジャーを駆動する工程を具える方法。
【請求項１３０】
更に、プランジャーとハブとの間の係合レベルを検出する工程を具えた請求項１２９のシリンジを接続する方法。
【請求項１３１】
請求項１のシリンジホルダーについて用いるための請求項１０９のプランジャー。
【請求項１３２】
請求項４３のハブを具えたシリンジについて用いるための請求項１０９のプランジャー。
【請求項１３３】
請求項１３６の装置について用いるための請求項１０９のプランジャー。
【請求項１３４】
請求項１５４のセンサシステムについて用いるための請求項１０９のプランジャー。
【請求項１３５】
請求項１６６のセンサシステムについて用いるための請求項１０９のプランジャー。
【請求項１３６】
医療用インジェクターシステムについて用いるシリンジを手動で満たす装置であって、シリンジはバレル及び摺動可能にバレルに係合するハブを具えており、装置は、
プランジャーと、ハブの係合部に取り外し可能に係合する様に形成された保持部材を具え、プランジャーによってハブはバレルに沿って選択的に引き出されることを特徴とする装置。
【請求項１３７】
保持部材は、機械的及び／又は電気的に取外し可能にハブに係合する請求項１３６の装置。
【請求項１３８】
取外し可能な係合は、少なくとも一部が錘機構によって動かされる請求項１３６の装置。
【請求項１３９】
取外し可能な係合は、プランジャーの引き込みによって動かされる請求項１３６の装置。
【請求項１４０】
保持部材は、ハブとの係合から離れるように付勢されている請求項１３６の装置。
【請求項１４１】
保持部材は、プランジャーに設けられた孔内に、少なくとも一部が配備された作動部材を具え、ロック部材が保持部材及び／又はプランジャーの一端部に又は一端部の隣に位置し、該ロック部材は保持部材によって、ハブの係合部と係合し、又は係合から外れるように動くことができる請求項１３６の装置。
【請求項１４２】
保持部材はカムを具える請求項１４１の装置。
【請求項１４３】
保持部材は円錐を具える請求項１４１の装置。
【請求項１４４】
作動部材はロッド部及びノーズ部を有し、ロック部材はロック解除位置にて、プランジャーとノーズ部との間に位置する請求項１４１の装置。
【請求項１４５】
保持部材はピンを具える請求項１３６の装置。
【請求項１４６】
シリンジが使用された後は、プランジャーはハブと係合できない請求項１３６の装置。
【請求項１４７】
プランジャーはシリンジバレルよりも十分短く、ハブがシリンジバレルの最前部に位置するときは、プランジャーはハブに達することができない請求項１３６の装置。
【請求項１４８】
請求項１８３の医療用インジェクターシステムについて用いるための請求項１３６の装置。
【請求項１４９】
請求項１５４のシリンジについて用いるための請求項１３６の装置。
【請求項１５０】
請求項１５５のシリンジについて用いるための請求項１３６の装置。
【請求項１５１】
請求項４３のシリンジハブを請求項１３６の装置に接続する方法であって、
（ｉ）　ハブが摺動可能に係合するシリンジバレル内に装置を導入し、装置をハブの内面に係合する工程と、
（ｉｉ）　保持部材がハブの係合部に係合するように、プランジャーを駆動する工程を具える方法。
【請求項１５２】
請求項４３のハブと請求項１３６の装置を具えるシリンジを手動で満たす方法であって、
（ｉ）　シリンジバレル内に装置を導入し、装置をハブの内面に係合する工程と、
（ｉｉ）　保持部材がハブの係合部に係合するように、装置を駆動する工程と、
（ｉｉｉ）　係合したハブをシリンジバレルに沿って引き出し、その間にシリンジ内に液体を引き込む工程を具えた方法。
【請求項１５３】
請求項４３のハブを具えたシリンジについて用いるための請求項１３６の装置。
【請求項１５４】
請求項４３のハブを含む医療用インジェクターシステムについて用いるためのシリンジ。
【請求項１５５】
請求項７４のプランジャーを具える医療用インジェクターシステムについて用いるためのシリンジ。
【請求項１５６】
請求項７４のプランジャーと、請求項４３のハブを具えるための医療用インジェクターシステムについて用いるシリンジ。
【請求項１５７】
医療用インジェクターシステムに連繋したシリンジホルダーの存在を検出するセンサ部材を具え、医療用インジェクターシステムについて用いるためのセンサシステム。
【請求項１５８】
センサ部材は光センサである請求項１５７のセンサシステム。
【請求項１５９】
センサ部材は機械的センサである請求項１５７のセンサシステム。
【請求項１６０】
センサ部材は電磁気センサである請求項１５７のセンサシステム。
【請求項１６１】
光をセンサ部材に反射する反射部材を具える請求項１５８のセンサシステム。
【請求項１６２】
反射部材はシリンジに連繋している請求項１６１のセンサシステム。
【請求項１６３】
請求項１４のシリンジホルダーを医療用インジェクターに係合する方法であって、
（ｉ）　シリンジホルダーの係合部を、医療用インジェクター上の相補部分に合わせる工程と、
（ｉｉ）　シリンジホルダーを医療用インジェクターに係合する工程と、
（ｉｉｉ）　シリンジホルダーと医療用インジェクターシステムとの間の係合レベルを検出する工程を具えた方法。
【請求項１６４】
医療用インジェクターから請求項１４のシリンジホルダーを外す方法であって、
（ｉ）　医療用インジェクターからシリンジホルダーの係合部を外す工程と、
（ｉｉ）　医療用インジェクターからシリンジホルダーを取り外す工程と、
（ｉｉｉ）　シリンジホルダーと医療用インジェクターシステムとの間の取り外しレベルを検出する工程
を具えた方法。
【請求項１６５】
医療用インジェクターシステムを変更する方法であって、
（ｉ）　シリンジホルダーを請求項４１のシリンジホルダーに交換する工程と、
（ｉｉ）　請求項７４のプランジャーを取り付ける工程を具えた方法。
【請求項１６６】
医療用インジェクターシステムに連繋したシリンジホルダー内のシリンジの存在を検出するセンサ部材を具え、該センサシステムは取外し可能なシリンジホルダーについて用いる様に形成された医療用インジェクターシステムについて用いるためのセンサシステム。
【請求項１６７】
センサ部材はシリンジホルダーと医療用インジェクターシステムとの間の係合レベルを検出する請求項１６６のセンサシステム。
【請求項１６８】
センサ部材は光センサである請求項１６６のセンサシステム。
【請求項１６９】
センサ部材は機械的センサである請求項１６６のセンサシステム。
【請求項１７０】
センサ部材は電磁気センサである請求項１６６のセンサシステム。
【請求項１７１】
光をセンサ部材に反射する反射部材を具える請求項１６８のセンサシステム。
【請求項１７２】
反射部材はキャッチの解放状態で、シリンジホルダーからシリンジを部分的に排出する様に形成された付勢部材と連繋している請求項１７１のセンサシステム。
【請求項１７３】
反射部材はシリンジに連繋している請求項１７２のセンサシステム。
【請求項１７４】
請求項１４のシリンジホルダーを医療用インジェクターに係合する方法であって、
（ｉ）　シリンジホルダーの係合部を医療用インジェクター上の相補部分に合わせる工程と、
（ｉｉ）　シリンジホルダーを医療用インジェクターに係合する工程と、
（ｉｉｉ）　シリンジホルダーと医療用インジェクターシステムとの間の係合レベルを検出する工程を具えた方法。
【請求項１７５】
医療用インジェクターから請求項１４のシリンジホルダーを取り外す方法であって、
（ｉ）　医療用インジェクターからシリンジホルダーの係合部を外す工程と、
（ｉｉ）　医療用インジェクターからシリンジホルダーを取り外す工程と、
（ｉｉｉ）　シリンジホルダーと医療用インジェクターシステムとの間の取り外しレベルを検出する工程を具えた方法。
【請求項１７６】
請求項１６６のセンサシステムを具えた医療用インジェクターシステムのシリンジホルダーにシリンジを装填する方法であって、
（ｉ）　シリンジホルダーのホルダー部材にシリンジバレルを挿入する工程と、
（ｉｉ）　センサシステムに連繋したセンサ部材にて、ホルダー内のシリンジの存
在を検知する工程を具える方法。
【請求項１７７】
請求項１６６のセンサシステムを具えた医療用インジェクターのシリンジホルダーから、シリンジを取り外す方法であって、
（ｉ）　ホルダー部材からシリンジを取り出す工程と、
（ｉｉ）　センサシステムと連繋したセンサ部材にてホルダー内のシリンジの不存在を検知する工程を有する方法。
【請求項１７８】
請求項１７７のシリンジホルダーからシリンジを取り外す方法は、更にシリンジの引き出し後に、プランジャーを自動的に引っ込める工程を有している。
【請求項１７９】
請求項１７７のシリンジホルダーからシリンジを取り外す方法は、更にシリンジの取り出しが済むまで、プランジャーの引っ込みを規制する工程を更に具える。
【請求項１８０】
医療用インジェクターシステムを変える方法であって、（ｉ）　シリンジホルダーを請求項４２のシリンジホルダーに交換する工程と、
（ｉｉ）　請求項７４のプランジャーを取り付ける工程を具えた方法。
【請求項１８１】
医療用インジェクターシステムを変える方法は、請求項１６６のセンサシステムを加える工程を具える。
【請求項１８２】
医療用インジェクターシステムを変える方法は、請求項１５７のセンサシステムを加える工程を具える。
【請求項１８３】
シリンジから患者に流体を注入する医療用インジェクターシステムであって、シリンジはバレル及び摺動可能にバレルに係合するハブを具え、ハブはプランジャーが取り外し可能に係合する様に形成された係合部を有する内面を具えるインジェクターシステムに於いて、
（ｉ）　ハブを動かし、ハブの係合部に取り外し可能に係合する様に形成された保持部材を具えるプランジャーと、
（ｉｉ）　シリンジバレルを受ける様に形成されたホルダー部材と、ホルダー部材
内のシリンジを取り外し可能にロックする回動可能なキャッチを有するシリンジホルダーを具えた医療用インジェクターシステム。
【請求項１８４】
更にホルダー部材上に配備されて、シリンジの一端部をホルダー部材上の所定の位置に位置づける位置決め装置を具えた請求項１８３の医療用インジェクターシステム。
【請求項１８５】
シリンジホルダーは医療用インジェクターと取り外しが簡単に係合することを可能にする係合部を更に具えている請求項１８３の医療用インジェクターシステム。
【請求項１８６】
シリンジホルダーの係合部は、ロック部材を具える請求項１８５の医療用インジェクターシステム。
【請求項１８７】
シリンジホルダーのロック部材は、スロットを具える請求項１８５の医療用インジェクターシステム。
【請求項１８８】
シリンジホルダーのロック部材は、ピンを具える請求項１８５の医療用インジェクターシステム。
【請求項１８９】
更に、
（ｉ）　シリンジに接続される様に形成され、流体をシリンジ内又はシリンジ外に導くチューブと、
（ｉｉ）　チューブを医療用流体を含む容器に接続し、それによって容器からシリンジへ流体を引き出すことを可能にするコネクタを具え、
コネクタは、中空スパイクを具え、スパイクによって栓を刺すことにより、容器内の栓を通って孔を形成する請求項１８３の医療用インジェクターシステム。
【請求項１９０】
コネクタは更に、
（ｉ）　ロック鍔を有する雄ルアー部と、
（ｉｉ）　該雄ルアー部からスパイクが永久に係合解除することを可能にする係合
解除部を具えた請求項１８９の医療用インジェクターシステム。
【請求項１９１】
係合解除部は壊れやすいネックを具えている請求項１９０の医療用インジェクターシステム。
【請求項１９２】
スパイクは、容器からスパイクが取り外されることを規制する逆棘部を具える請求項１８９の医療用インジェクターシステム。
【請求項１９３】
更にチューブとシリンジの雄ルアーコネクタとの間にクランプを具え、該クランプは雄ルアーコネクタのロックネジ内に移動可能であり、それによってチューブを雄ルアーコネクタにクランプする請求項１８３の医療用インジェクターシステム。
【請求項１９４】
クランプは掴み部を具え、該掴み部とチューブとの間のグリップを強くする請求項１９３の医療用インジェクターシステム。
【請求項１９５】
クランプは掴み部を具え、該掴み部とコネクタとの間のグリップを強くする請求項１９３の医療用インジェクターシステム。
【請求項１９６】
クランプは掴み部を具え、該掴み部とチューブとコネクタ間のグリップを強くする請求項１９３の医療用インジェクターシステム。
【請求項１９７】
掴み部は逆棘がある請求項１９４の医療用インジェクターシステム。
【請求項１９８】
掴み部は隆条を具えている請求項１９４の医療用インジェクターシステム。
【請求項１９９】
掴み部はネジ山を具えている請求項１９４の医療用インジェクターシステム。
【請求項２００】
前記クランプは、不正開封防止機能付きである請求項１９３に記載の医療用インジェクターシステム。
【請求項２０１】
ベース部材及びセンサを具えており、前記ベース部材に対する前記シリンジホルダーの向きを検出する請求項１８３に記載の医療用インジェクターシステム。
【請求項２０２】
前記センサは、前記シリンジホルダーとベース部材間の角度を検出する請求項２０１に記載の医療用インジェクターシステム。
【請求項２０３】
その向きによって、自動的にバレル内のプランジャーの移動を開始させ又は停止させるスイッチを具えている請求項１８３に記載の医療用インジェクターシステム。
【請求項２０４】
前記スイッチは、錘機構により駆動される請求項２０３に記載の医療用インジェクターシステム。
【請求項２０５】
さらに、コントローラを具えており、プランジャーの移動を制御する請求項１８３に記載の医療用インジェクターシステム。
【請求項２０６】
ベース部材及びセンサを具えており、前記ベース部材に対する前記シリンジホルダーの向きを検出する請求項２０５に記載の医療用インジェクターシステム。
【請求項２０７】
前記センサは、前記シリンジホルダーとベース部材間の角度を検出する請求項２０６に記載の医療用インジェクターシステム。
【請求項２０８】
前記コントローラは、前記プランジャーを動かして、チューブを介して前記シリンジに繋がれた血管内のカテーテルの通孔度を検査する請求項２０５に記載の医療用インジェクターシステム。
【請求項２０９】
請求項１に記載のシリンジホルダーを具える請求項１８３に記載の医療用インジェクターシステム。
【請求項２１０】
請求項４３に記載のハブを具える請求項１８３に記載の医療用インジェクターシステム。
【請求項２１１】
請求項７４に記載のプランジャーを具える請求項１８３に記載の医療用インジェクターシステム。
【請求項２１２】
請求項１０９に記載のプランジャーを具える請求項１８３に記載の医療用インジェクターシステム。
【請求項２１３】
前記プランジャーと前記ハブ間の結合レベルを検出するセンサを具える請求項１８３に記載の医療用インジェクターシステム。
【請求項２１４】
前記センサは、前記プランジャーと前記ハブ間の完全な結合を検出する請求項２１３に記載の医療用インジェクターシステム。
【請求項２１５】
光センサを具える請求項２１３に記載の医療用インジェクターシステム。
【請求項２１６】
前記光センサは、光ファイバーケーブルを具える請求項２１３に記載の医療用インジェクターシステム。
【請求項２１７】
機械的センサを具える請求項２１３に記載の医療用インジェクターシステム。
【請求項２１８】
電磁気的センサを具える請求項２１３に記載の医療用インジェクターシステム。
【請求項２１９】
前記プランジャーと前記ハブ間の結合レベルを検出するセンサを具える請求項２０５に記載の医療用インジェクターシステム。
【請求項２２０】
前記センサは前記コントローラと通信して、さらに、前記プランジャーの移動が制御される請求項２１９に記載の医療用インジェクターシステム。
【請求項２２１】
前記通信は、前記ハブを動かさずに、前記プランジャーと前記ハブの結合を行える請求項２２０に記載の医療用インジェクターシステム。
【請求項２２２】
前記通信は、前記プランジャーへの前記ハブのロックを解除できる請求項２２０に記載の医療用インジェクターシステム。
【請求項２２３】
前記通信は、前記プランジャーへの前記ハブのロックの解除を惹き起こす請求項２２０に記載の医療用インジェクターシステム。
【請求項２２４】
前記通信は、使用済みのシリンジの検出ができる請求項２２０に記載の医療用インジェクターシステム。
【請求項２２５】
前記センサが、前記ハブが最も引き込まれた状態のときの位置よりも前方で、前記ハブを検出する場合、信号が生成される請求項２２４に記載の医療用インジェクターシステム。
【請求項２２６】
前記通信はエラー検出を行える請求項２２０に記載の医療用インジェクターシステム。
【請求項２２７】
前記ハブ及びプランジャーが早めに開放する場合、信号が生成される請求項２２６に記載の医療用インジェクターシステム。
【請求項２２８】
請求項１３６の何れか一つの装置に使用するように形成された請求項１８３に記載の医療用インジェクターシステム。
【請求項２２９】
請求項１５７に記載の検知システムを具える請求項１８３に記載の医療用インジェクターシステム。
【請求項２３０】
請求項１６６に記載の検知システムを具える請求項１８３に記載の医療用インジェクターシステム。
【請求項２３１】
請求項１５７に記載のシリンジ検知システムを具える請求項２０５に記載の医療用インジェクターシステム。
【請求項２３２】
請求項１６６に記載のシリンジ検知システムを具える請求項２０５に記載の医療用インジェクターシステム。
【請求項２３３】
請求項１６７に記載のシリンジ検知システムを具える請求項２０５に記載の医療用インジェクターシステム。
【請求項２３４】
前記検知部材は前記コントローラと通信し、前記インジェクターシステムの動作を変更する請求項２３２に記載の医療用インジェクターシステム。
【請求項２３５】
前記通信はプランジャーの移動を行い、前記シリンジに液体を満たし、又は前記シリンジから液体を排出する請求項２３４に記載の医療用インジェクターシステム。
【請求項２３６】
前記通信は前記プランジャーの移動を止める請求項２３４に記載の医療用インジェクターシステム。
【請求項２３７】
前記シリンジが除去されなかった場合、使用後に前記プランジャーの移動ができない請求項２３４に記載の医療用インジェクターシステム。
【請求項２３８】
前記シリンジが所定のレベルまで結合しなかった場合、前記プランジャーの移動ができない請求項２３４に記載の医療用インジェクターシステム。
【請求項２３９】
前記シリンジホルダーが所定のレベルまで結合しなかった場合、使用前に前記プランジャーの移動ができない請求項２３４に記載の医療用インジェクターシステム。
【請求項２４０】
前記シリンジの除去が前記シリンジのある方向で行われた場合、信号が生成される請求項２３４に記載の医療用インジェクターシステム。
【請求項２４１】
前記シリンジが略垂直方向にある間に除去が行われた場合、前記信号が生成される請求項２３４に記載の医療用インジェクターシステム。
【請求項２４２】
請求項７４に記載のプランジャーと請求項４３に記載のハブとを具える医療用インジェクターシステムを用いるシリンジ。
【請求項２４３】
請求項１５４に記載のシリンジを具える請求項１８３に記載の医療用インジェクターシステム。
【請求項２４４】
請求項１５５に記載のシリンジを具える請求項１８３に記載の医療用インジェクターシステム。
【請求項２４５】
医療用インジェクターシステムに使用されるシリンジに対し、密封された容器からの医療用流体でシリンジを満たす方法であって、
（ｉ）前記シリンジは、前部を後部に対して相対的に上昇させる工程と、
（ｉｉ）患者の所定の用量に対応して前記シリンジ内の位置にプランジャーを進める工程と、
（ｉｉｉ）前記プランジャーの一連の前進及び後進移動の動作を制御して、前記シリンジと全ての取り付けられたチューブから空気を容器の底へ排出し、所望の用量の流体を前記シリンジに引き出す工程と、
を具えるシリンジを満たす方法。
【請求項２４６】
さらに、前記シリンジの姿勢に応じて、前記プランジャーの移動方向を自動的に制限する工程を具える請求項２４５に記載のシリンジを満たす方法。
【請求項２４７】
前記プランジャーは、その後部に対してその前部が上昇するように向けられた場合に前方又は後方に移動し、その前部に対してその後部が上昇するように向けられた場合に、前方のみに移動する請求項２４５に記載のシリンジを満たす方法。
【請求項２４８】
請求項１８３に記載の医療用インジェクターシステムに使用されるシリンジに対し、密封された容器からの医療用流体で満たす方法であって、
（ｉ）前記シリンジは、前部を後部に対して相対的に上昇させる工程と、
（ｉｉ）患者の所定の服用量に対応して前記シリンジ内の位置にプランジャーを進める工程と、
（ｉｉｉ）前記プランジャーの一連の前進及び後進移動の動作を制御して、前記シリンジと全ての取り付けられたチューブから空気を容器の底へ排出し、所望の用量の流体を前記シリンジに導く工程と、
を具えるシリンジを満たす方法。
【請求項２４９】
さらに、前記シリンジの姿勢に応じて前記プランジャーの移動方向を自動的に制限する工程を具える請求項２４８に記載のシリンジを満たす方法。
【請求項２５０】
前記プランジャーは、その後部に対してその前部が上昇するように向けられた場合に前方又は後方に移動し、その前部に対してその後部が上昇するように向けられた場合に、前方のみに移動する請求項２４８に記載のシリンジを満たす方法。
【請求項２５１】
請求項１８３に記載の医療用インジェクターシステムを用いて患者に注射する方法であって、
（ｉ）前記プランジャーを前記ハブと結合する工程と、
（ｉｉ）前記シリンジバレルに沿って前記ハブを動かす工程と、
（ｉｉｉ）液体を前記シリンジから患者へ放出する工程と、
を具えるシリンジを満たす方法。
【請求項２５２】
請求項１８３に記載の医療用インジェクターシステムを用いて請求項１４に記載のシリンジホルダーを結合する方法であって、
（ｉ）前記シリンジホルダーの結合部分を前記医療用インジェクターの相補部分に揃える工程と、
（ｉｉ）前記シリンジホルダーを前記医療用インジェクターと結合する工程と、
を含むシリンジホルダーを結合する方法。
【請求項２５３】
さらに、前記シリンジホルダーと前記医療用インジェクターシステム間の結合レベルを検出する工程を有する請求項２５２に記載のシリンジホルダーを結合する方法。
【請求項２５４】
請求項１８３に記載の医療用インジェクターシステムから請求項１４に記載のシリンジホルダーを解放する方法であって、
（ｉ）前記シリンジホルダーの結合部分を前記医療用インジェクターから分離する工程と、
（ｉｉ）前記シリンジホルダーを前記医療用インジェクターから取り除く工程と、
を有するシリンジホルダーを分離する方法。
【請求項２５５】
さらに、前記シリンジホルダーと前記医療用インジェクターシステム間の分離レベルを検出する工程を有する請求項２５４に記載のシリンジホルダーを分離する方法。
【請求項２５６】
請求項１８３に記載の医療用インジェクターシステムに連繋したシリンジホルダーにシリンジを装填する方法であって、
（ｉ）ホルダー部材に前記シリンジバレルを挿入して、キャッチを変位させる工程と、
（ｉｉ）前記キャッチ機構をその付勢位置へ戻らせて前記シリンジと結合させ、そこで前記ホルダー部材に前記シリンジを保持する工程と、
を具えるシリンジを装填する方法。
【請求項２５７】
請求項１８３に記載の医療用インジェクターシステムと連繋したシリンジホルダーからシリンジを取り除く方法であって、
（ｉ）前記キャッチを解放して前記シリンジのロックを解除する工程と、
（ｉｉ）前記シリンジを前記ホルダー部材から取り出す工程と、
を具えるシリンジを取り除く方法。
【請求項２５８】
請求項１８３に記載の医療用インジェクターシステムのシリンジホルダーにシリンジを装填する方法であって、
（ｉ）前記シリンジホルダーのホルダー部材に前記シリンジバレルを挿入する工程と、
（ｉｉ）前記検知システムに連繋した検知部材で前記ホルダー内のシリンジの存在を検知する工程と、
を具えるシリンジを導く方法。
【請求項２５９】
請求項１８３に記載の医療用インジェクターシステムのシリンジホルダーからシリンジを取り除く方法であって、
（ｉ）前記シリンジを前記ホルダー部材から取り出す工程と、
（ｉｉ）前記検知システムに連繋した検知部材で前記ホルダー内のシリンジの不存在を検知する工程と、
を具えるシリンジを取り除く方法。
【請求項２６０】
さらに、前記シリンジが取り出された後に、前記プランジャーを自動的に引き込む工程を具える請求項２５９に記載のシリンジホルダーからシリンジを取り除く方法。
【請求項２６１】
さらに、前記シリンジが取り出されるまで、前記プランジャーの引き込みを制限する工程を具える請求項２５９に記載のシリンジホルダーからシリンジを取り除く方法。
【請求項２６２】
さらに、前記シリンジが取り出された後に、前記プランジャーの引き込みを促す工程を具える請求項２５９に記載のシリンジホルダーからシリンジを取り除く方法。
【請求項２６３】
請求項１８３に記載の医療用インジェクターシステムを用いてシリンジハブをプランジャーに繋ぐ方法であって、
（ｉ）前記ハブが摺動可能に係合しているシリンジバレルに前記プランジャーを挿入し、前記プランジャーを前記ハブの内面に結合する工程と、
（ｉｉ）前記プランジャーを動かして、保持部材を前記ハブの係合部分と係合させる工程とを具えるシリンジハブをプランジャーに繋ぐ方法。
【請求項２６４】
さらに、前記プランジャーと前記ハブ間の係合レベルを検出する工程を具えるシリンジハブをプランジャーに繋ぐ方法。
【請求項２６５】
シリンジホルダーを具える医療用インジェクターシステムを変更する方法であって、
（ｉ）前記シリンジホルダーを請求項１に記載のシリンジホルダーに置き換える工程と、
（ｉｉ）請求項７４に記載のプランジャーを取り付ける工程と、
を具える医療用インジェクターシステムを変更する方法。
【請求項２６６】
シリンジホルダーを具える医療用インジェクターシステムを変更する方法であって、
（ｉ）前記シリンジホルダーを請求項１に記載のシリンジホルダーに置き換える工程と、
（ｉｉ）請求項１０９に記載のプランジャーを取り付ける工程と、
を具える医療用インジェクターシステムを変更する方法。
【請求項２６７】
医療用インジェクターシステムを変更する方法であって、
（ｉ）シリンジホルダーを請求項４１に記載のシリンジホルダーに置き換える工程と、
（ｉｉ）請求項７４に記載のプランジャーを取り付ける工程と、
を具える医療用インジェクターシステムを変更する方法。
【請求項２６８】
医療用インジェクターシステムを変更する方法であって、
（ｉ）シリンジホルダーを請求項４２に記載のシリンジホルダーに置き換える工程と、
（ｉｉ）請求項７４に記載のプランジャーを取り付ける工程と、
を具える医療用インジェクターシステムを変更する方法。
【請求項２６９】
請求項１５７に記載の検知システムを加える工程を具える医療用インジェクターシステムを変更する方法。
【請求項２７０】
請求項１６６に記載の検知システムを加える工程を具える医療用インジェクターシステムを変更する方法。
【請求項２７１】
図２、図１８ａ乃至図１８ｅ、図２０乃至図２３ｆ、及び図３６乃至図４２を引用して詳述された医療用インジェクターシステムのシリンジホルダー。
【請求項２７２】
図２乃至図１７、図１８ｄ、図１９乃至図２３ａ、図２４、図２８、図３７ｂ、及び図３８乃至図４２を引用して詳述された医療用インジェクターシステムで用いられるシリンジ用ハブ。
【請求項２７３】
図２ｃ、図３乃至図１７、図１９乃至図２３ａ、図３７ｂ、及び図３８乃至図４２を引用して詳述された医療用インジェクターシステムで用いられるシリンジ用プランジャー。
【請求項２７４】
図２ｃ、図３乃至図１７、図１９乃至図２３ａ、図３７ｂ、及び図３８乃至図４２を引用して詳述された医療用インジェクターシステムで用いられるシリンジを手動で満たす装置。
【請求項２７５】
図２、図１８ｄ、図１８ｅ、図１９乃至図２４、図２８乃至図３３、図３６乃至図３７ｂ、及び図３８乃至図４２を引用して詳述された医療用インジェクターシステムで用いられるシリンジ。
【請求項２７６】
図３６乃至図４２を引用して詳述された医療用インジェクターシステムで用いられるシリンジ。
【請求項２７７】
図２乃至図４２を引用して詳述された医療用インジェクターシステム。
【発明の詳細な説明】
【０００１】
【発明の分野】
本発明は、医療用流体を患者の血管系へ注入するための医療用インジェクターシステムに関する。
【０００２】
【発明の背景】
生体構造を画像化するために、造影剤を患者に注入するための医療用インジェクター及びシリンジは、当該分野で知られている。例えば、１９８７年７月７日付けでディー．エム．ライリー氏らに付与され、本願と同じ譲受人に譲渡された米国特許第４，６７７，９８０号「血管造影用インジェクター及び該インジェクターと共に用いられる血管造影用シリンジ」には、血管造影用インジェクター装置が開示されている。この装置は、動物の血管系に造影剤を注入する装置であり、シリンジは後方装着式であって、インジェクターの圧力ジャケットの中へ装着される。より具体的には、この装置は、一対の圧力ジャケットを有する回転可能なタレットを具えており、圧力ジャケットのうち、一方にはシリンジが後方から装着されて注入位置にあるとき、他方の圧力ジャケットは、関連したシリンジが後方から装着可能な位置となる構成である。その後、第１のシリンジからの造影剤の注入が完了すると、タレットが回転して、第１のシリンジは脱着位置に移動し、それと同時に第２の圧力ジャケットとシリンジは同時に注入位置へ移動する。
【０００３】
’９８０特許に開示された装置では、血管造影用インジェクターの駆動部材は、、着脱可能な機構により、シリンジプランジャーの移行路に沿う任意位置にて、シリンジのプランジャーへ駆動可能に連結し又は連結解除を行なう。しかしながら、着脱可能な機構を正しく動作させるには、シリンジプランジャーはインジェクターピストンと一致するように正しい向きにせねばならない。さらに、シリンジプランジャーとインジェクターピストンが互いに接続及び接続解除されるようにするために、シリンジがインジェクターに装着されている間、シリンジは夫々の圧力ジャケット中での位置を真直に正しく揃えていなければならない。
【０００４】
１９９５年１月２４日付でディー．エム．ライリーに付与され、本願と同じ譲受人に譲渡された米国特許第５，３８３，８５８号「フロントローディング式医療用インジェクター及び該インジェクターに使用されるシリンジ」には、’９８０特許を改良した装置が開示されている。’８５８特許に記載された装置において、少なくとも一実施例では、シリンジは、圧力ジャケットなしのインジェクターに前方装着されており、これは’９８０特許のインジェクター装置の欠点の１つを解消するものである。
【０００５】
’８５８特許に記載されたインジェクターは、シリンジをインジェクターへ取付け及び取外しを行なう第１着脱機構を有している。さらに、装置は、インジェクターピストンをインジェクターへ係合及び係合解除を行なう第２着脱機構を含んでいる。シリンジを回転させると、シリンジはインジェクターに取り付けられる又はインジェクターから取り外され、同時に、プランジャーはピストンに取り付けられる又はピストンから取り外される。開示された構造の場合、シリンジをインジェクターに取外し可能に係合させ、同時にプランジャーをピストンに取外し可能に係合させるには、シリンジをインジェクターへ装着する際、シリンジを特定の向きにせねばならない。さらに、’９８０特許に開示されたシリンジと同様、組み合わされている間中も、シリンジプランジャーをシリンジ内で正しい向きにせねばならない。
【０００６】
１９９４年４月５日付でシー．ニールらに付与された米国特許第５，３００，０３１号「流体を動物に注入する装置及び該装置に用いられる使い捨て式フロントローディング可能なインジェクター」には、他のインジェクター装置が開示されている。’０３１特許は、圧力ジャケット付インジェクターの様々な実施例を開示しており、シリンジは、圧力ジャケットの前端部に設けられた開口を通して、インジェクターの圧力ジャケットへ装着され、該圧力ジャケットから取り外される。シリンジを圧力ジャケット内で保持するために、例えば、注入動作の間、シリンジの前端部は圧力ジャケットの前端部にロックされている。シリンジを圧力ジャケットに正しく接続するために、シリンジは唯一つの姿勢でのみ圧力ジャケットに挿入できる。
【０００７】
前述した各例においてシリンジの適切な装着を確実に行なうには、シリンジは、インジェクターに対して特定の向きにせねばならない。医療用画像化工程の間に、シリンジの動作を適切に行なうには、シリンジとインジェクターの位置関係が適切であることが必要である。しかしながら、特定の向きにすることは、シリンジの迅速な取付け及び交換の妨げになる。また、特定の向きにする必要性は、シリンジ製造時の組立費用の上昇を招き、組立工程はより複雑になる。
【０００８】
それ故に、前述のインジェクター及びシリンジ装置の有用性は認識されたが、より簡素化されたフロントローディング式医療用インジェクターが要請されている。より具体的に説明すると、装填操作をより容易に行なうために、シリンジ及び／又はシリンジプランジャーの軸回りの向きの如何に拘わらず、インジェクターへ簡単に接続できるシリンジが要請されている。さらにまた、シリンジ要素の組立を簡素化するために、シリンジのバレル又は基部と特定の関係に定位される必要のないプランジャー付シリンジが要請されている。さらにまた、注入処置のためにインジェクターの準備に要する時間を最小限にする必要から、自動機能（ａｕｔｏｍａｔｅｄ ｆｅａｔｕｒｅｓ）を具えるインジェクターが要請されている。さらに要請されているのは、例えば二次汚染の可能性を減らすことによって、患者の安全をもたらす自動機能を付け加えることである。
【０００９】
医療用流体は、通常、上部にエラストマー栓（又はコルク）がある容器又は瓶に詰められている。栓は従来型の針又はプラスチック製スパイクで突き刺して、流体を瓶からシリンジへ流入させることができる。しかしながら、単に栓を取り、プラスチック製カニューレを使用して流体を引き抜き、シリンジに入れるというのが一般的なやり方である。この方法だと、流体を周囲の病原菌にさらし、汚染させてしまう可能性があり、そのために、患者に好ましくない感染を起させる危険が増す。特殊な細菌フィルターを具えているある種のベント式スパイクが、この問題に対処するために開発されてきた。しかし、それを使用すると、充填工程は非常に長たらしくなり、液によってはフィルタから漏れることがよくある。既知の方法によって多量の流体をシリンジへ充填する際、瓶を逆さに持って、同時にシリンジを後ろに引き戻すのは、非常に困難になる可能性がある。
【００１０】
シリンジポンプを使用して患者へ注入する際のその他の大切な注意点は、患者へ繋ぐ前に、チューブを含んで、システムから確実にすべての空気を抜くことである。これが確実に行われていないと、気泡が患者へ注入されて、重大な病気を惹き起こす可能性がある。
【００１１】
また、既存のインジェクター装置及びインジェクターは、シリンジ及び関連したチューブ、及びスパイクの再利用を止める機能を備えておらず、それにより、患者から患者へ二次汚染するという、重大な危険を惹き起こす可能性のあることが分かっている。
【００１２】
ルアーコネクタは、医療で使用された殆どのシリンジの放出口に見られ、それは国際標準規約ＩＳＯ５９４に詳しく規定されている。ロック用ネジが、ルアーコネクタに関連して見られることもあり、それは「ルアーロッキング」と称されており、特に、ネジが接続の密閉と保持を助けて、高圧で使用するために用いられる。
【００１３】
可撓性プラスチックのチュービングは、シリンジと患者との間で、薬剤、流体、造影剤などを移送するために、多くの医療的用途に使用されている。チューブは、通常可撓性プラスチックで製られており、両端にはルアーコネクタが接合されていて、確実且つ着脱可能な嵌め込み形の連結を容易にしている。コネクタは、通常硬質プラスチックから成形されており、ルアー放出口を有しており、比較的柔らかいチューブとの密な締まり嵌めを許容する寸法に形成された円筒状入口を有している。チューブは、円筒状入口の端部に押し嵌められ（又は押し込められ）、一般的に溶剤又は接合剤を使って接合される。高圧での使用のために、接合は、破裂を防ぐように極めて確実に行われねばならない。
【００１４】
場合によっては、チューブは、例えば、製造費を削減するため、汚染流体が漏出する可能性を低減するため、又はシリンジ先端を汚染から守るために、永久的にシリンジへ装着されていてもよい。しかしながら、シリンジはポリプロピレンから成形されていることが一般的なので、シリンジへ直接に接合することはほとんど成功しないし、確実ではない。また、チュービング材の中には接合が難しいものもある。さらに、接合には、シクロヘキサノンやシアノアクリレートなどの強力な溶剤形接合剤が必要であって、それらは両方とも、有害な気体を放出して、望ましくない残渣を残す可能性がある。
【００１５】
この明細書において、特別なことを積極的に説明しない限り、文書、知っている行為又は項目に言及したり又は議論している場合、その言及又は議論は、文書、知っている行為又は項目、或いはその任意の組合せが、本願より早い日付の下記（ａ）乃至（ｄ）であったと認めるものではない。即ち、
（ａ）　一般に利用可能であった、
（ｂ）　公知であった、
（ｃ）　通常の一般的知識の一部であった、又は
（ｄ）　この明細書に係わる問題を解決しようと試みることに関係があると知られていた、
ということ。
【００１６】
【発明の要旨】
本発明の第一の特徴は、医療用インジェクターシステムのためにシリンジホルダーが設けられており、該シリンジホルダーは、シリンジのバレルを受け入れるように作られたホルダー部材（ｃｒａｄｌｅ ｍｅｍｂｅｒ）と、ホルダー部材内にシリンジを着脱可能にロックするための枢動可能なキャッチ（ｐｉｖｏｔａｂｌｅ ｃａｔｃｈ）とを具えており、ホルダー部材において、キャッチは、第１位置の方へ付勢されて、第１位置にてシリンジを係合し、第２位置にてシリンジとの係合を解除する。
【００１７】
シリンジを着脱可能にロックするための枢動可能なキャッチを設けることによって、ホルダー部材に前壁を設ける必要をなくしたことにより、シリンジをシリンジホルダーへフロントローディングすることが可能である。当該技術に熟達した者であれば、キャッチ表面は、広い（又は狭い）シリンジ表面に当接するように、長さは変更可能にされてもよいことを理解するであろう。
【００１８】
特に望ましい実施例によると、シリンジホルダーは、シリンジの一端をホルダー部材内の所定位置に配置するために、ホルダー部材に設置された位置決め装置をさらに具えている。
【００１９】
望ましい一実施例によると、ホルダー部材はスリーブであって、シリンジのバレルを取り囲んでいる。望ましくは、そのようなスリーブは、シリンジを、圧力を受けた状況下では膨張しないように支持し、流体を排除している間は内部圧力に対して支持するように作られている。これが、シリンジバレルの壁の厚さを減らし、それによって製造費をおさえることを可能にする。
【００２０】
別の望ましい実施例によると、キャッチ機構は、シリンジの前方肩部に係合する。キャッチは、ホルダー部材又はスリーブ内に形成された孔を通じてシリンジを係合することが望ましい。
【００２１】
別の望ましい実施例によると、シリンジバレルをホルダー部材又はスリーブに挿入するとき、キャッチの前部分は、対応しているシリンジの前部分に係合し、それによって、シリンジをホルダー部材又はスリーブの内部に保持する。ホルダー部材又はスリーブからシリンジを取り外すには、キャッチの後ろ部分を押圧して、前部分をシリンジバレルから外させる。
【００２２】
シリンジは、キャッチが自動的にロックするまで、単に摺動させるだけで、圧力スリーブの前端部を通って装填される。この前方から装填する方法は簡単で、操作者は、ねじり動作又は意識的なロックの動作が不要である。シリンジは、シリンジ解放ボタンを押し、シリンジを前方へ引き出すことによって、簡単に取り外されることもできる。キャッチは、洗浄又は取替えのために、スリーブへ取り付ける或いはスリーブから元の位置に戻すことができるように、ホルダー部材の一部になっていてもよい。
【００２３】
シリンジホルダーは、望ましくは透明の硬質プラスチックから製られており、シリンジを容易に挿入できるように約５０度の角度で切り落とされた、開いた端部を有する普通の円筒体を具えている。透明な材料から製れば、シリンジ及びその内容物、特に充填に引き続いてすべての空気が抜かれねばならない前方端部を、遮るものがない状態で眺めることができる。一般的に、スリーブは、（バネを任意で含んでいる）単一物品の構造であって、普通の在庫品のチューブを加工し、又は成形加工で作ることにより、製造費が安価なものである。
【００２４】
スリーブの後端部は、望ましくは、インジェクターへ（望ましくは、洗浄のために着脱可能に）固定され、インジェクターのプランジャーと同軸上で一直線に配置されており、これによって、プランジャーがシリンジの内部に接触（それによってシリンジを汚染する可能性がある）する恐れなく、何時でもシリンジをインジェクターから取り外すことができる。体積目盛りは、ホルダーのスリーブに印刷されているから、シリンジには必要がない。
【００２５】
シリンジは、後部がまずホルダーの前部に装填されて、密な嵌合を構成し、スリーブはシリンジがインジェクターの高圧に耐えて膨張することを支持する。ホルダーは、望ましくは、四角いノッチを前方に向かって有しており、装填の間はシリンジキャッチに近付き、支えている。スリーブにある２つの丸い孔は、キャッチに対してヒンジ受け口（ｈｉｎｇｅ ｓｏｃｋｅｔ）として働くことが望ましい。
【００２６】
望ましくは、キャッチは、硬質可撓性プラスチックによって、部分的に円筒状に形作られていて、２つの対向するヒンジピン（ｈｉｎｇｅ ｐｏｓｔ）を有しており、それらはスリーブにある２つの丸い孔に嵌まり込む。交換又は洗浄のために、キャッチ組立体は、単に、ヒンジピンがそれぞれの孔から外れるまで側面を広げるだけで、取り外されることができる。
【００２７】
他の望ましい実施例によると、ホルダー部材は、キャッチの係合解除時に、ホルダー部材からシリンジを部分的に取り出すための付勢部材を有している。付勢部材はシリンジバレルの挿入時に押され、それによって、シリンジバレルを、部分的に取り出される位置の方へ押しやって、キャッチの係合を解除した時にシリンジバレルがスリーブから部分的に取り出されるようにすることが望ましい。望ましくは、（付勢部材によって作られた）自動取出し式機構はバネを具えており、且つスリーブの後部に配置されていることが望ましく、該バネはシリンジバレルの挿入時に圧縮される。
【００２８】
他の望ましい実施例によると、付勢部材は、シリンジに係合し、シリンジの回転を最小限にするように作られている。
他の望ましい実施例によると、付勢部材は、オプティカルセンサー又はスイッチを作動或いは係合するように作られており、オプティカルセンサー又はスイッチは、インジェクター制御ユニットにシリンジの存在を知らせる。
【００２９】
一実施例によると、ホルダー部材は、シリンジが交換される度毎に取り外されるのではなく、インジェクターへ固定されていてもよい。それによって、利便性が高まり、スリーブが落ちて汚れる可能性が減少する。
【００３０】
延長チューブは、永久的にシリンジへ装着されることができる。前方から装着されるから、関連した連結チューブは注入に続いてシリンジから取り外される必要が無いから、汚染された血液が漏れ出る危険性が減る。
【００３１】
キャッチは、任意の適切な形であってよい。特に望ましい実施例によると、シリンジの前肩部は、キャッチの係合部分に嵌まり合う形である。キャッチ面は、シリンジを一層容易にインジェクターに保持できるように、（シリンジの円周の約半分の長さ、又はホルダー部材とほぼ同じ長さぐらいに）長めでもよい。
【００３２】
キャッチの係合部分は、任意の適切な形であってよい。望ましい一実施例によると、係合部分は、楔形、凹形又は凸形である。好ましくは、キャッチ機構は、シリンジのスリーブ内にある関連したノッチの前方端部へ楔止めされており、荷重の殆どを、ノッチ（したがってスリーブ及びインジェクター）へ移し、キャッチのヒンジへは移さない。
【００３３】
シリンジはスリーブの中に装填されるとき、シリンジキャッチは押しやられる。シリンジが一旦本来の位置に納められると、シリンジの前部はキャッチを離し、キャッチはボタンの下のバネの張力によってラッチ止めし、シリンジの前リムの前方で、固定されたストッパ（ｆｉｘｅｄ ｓｔｏｐ）を構成する。キャッチが、鳩尾形の場合、部分的に閉じる可能性は低く、もし部分的に閉まっていても、シリンジによる張力は鳩尾形のキャッチを閉めるように引き寄せるであろう。
【００３４】
注入の間に、シリンジの前向きの力は、キャッチによって支えられる。そのようなキャッチは、シリンジとスリーブ中のノッチとの間に鳩尾形を形成するから、キャッチは、装填されている間、外れないだけでなく滑りもしない。
【００３５】
他の望ましい実施例によると、ホルダー又はインジェクターシステムは、シリンジホルダーを照らすための照明部材を具えている。照明部材は、ホルダー又はインジェクターシステムの任意の適した構成部品に、取り付け、係合、又は装着される。望ましくは、ホルダーに取り付けられる。他の望ましい実施例によると、照明部材は、インジェクター、望ましくはインジェクターのノーズ部に取り付けられている。照明部材は、任意の適した種類又は光源である。ランプ又は球電でも、発光ダイオード（ＬＥＤ）でもよい。照明部材は、光の一部がホルダー部材又はスリーブの壁で受光され、壁に沿って伝送されるように、ホルダー、ホルダー部材又はスリーブの露出した後端部に配置されているのが望ましい。任意の薄くて高密度の透明な材料と同様に、受光された光の殆どは、側面沿いだけではなく、内部で長手方向にも反射されて、ホルダー部材又はスリーブの前方端部で拡散発光（ｄｉｆｆｕｓｅｄ ｇｌｏｗ）を生成する。望ましくは、ホルダー部材又はスリーブは、最大の拡散を実現するために、望ましくは艶消しされている（例えば、やすりが掛けられている）スリーブの前方斜端部（ｂｅｖｅｌｌｅｄ ｆｒｏｎｔ ｅｎｄ）を有しており、それ故に広角度から見える。適した光源であればどれでも使用できるが、照射の殆どがスリーブに向かって投影されるように焦点が絞られ、又は反射されることが望ましい。照明部材を備えることには、有用な利点がある。特に、特定の処置のために薄暗い明かりが灯っているＸ線撮影室内で、ホルダー及びその他の構成要素を明視化するのに役立つ。
【００３６】
他の望ましい実施例によると、シリンジホルダーは、医療用インジェクターとの容易な着脱可能な係合を可能とする係合部分を具えている。係合部分はロック用部材を具えていることが望ましく、ロック用部材はスロット又はピンを具えていることが望ましい。
【００３７】
そのような取り外し可能なシリンジホルダーは、下記（ａ）乃至（ｄ）を含む利点を提供する。
（ａ）　操作者は、洗浄のためにシリンジホルダーを容易に取外しできる、
（ｂ）　損耗又は破損した場合、容易に交換できる、
（ｃ）　インジェクターは、異なった寸法又は種類のシリンジを受け入れることができる、及び
（ｄ）　出荷のために取り外すことにより、全体の梱包寸法が小さくなる。
【００３８】
本発明によるシリンジホルダーをインジェクター（又はインジェクターのノーズ部）と係合するために、スリーブは、まずノーズ部の中に挿入され、差込み溝が差込みピン（ｂａｙｏｎｅｔ ｐｏｓｔｓ）に噛み合うまで、穏やかな内向きの圧力で回転される。この時点で、ホルダーは完全にノーズ部へ入っており、ホルダーは、ロックするために右回りに回転される。組になった差込み溝とピンは、円周の周りに均等の間隔に並んでいるか、又はホルダーが特定の向きだけに係合できるように、適合している半端な角度に方向が合わされていてもよい。望ましくは、流体シール及び摩擦手段（Ｆｌｕｉｄ Ｓｅａｌ ＆ Ｆｒｉｃｔｉｏｎ Ｄｅｖｉｃｅ）も設けられている。それは単なるＯリング又はワイパリングで、２つの重要な役割（ａ）及び（ｂ）を有している。
（ａ）　流体がインジェクターに入るのを防止する、
（ｂ）　摩擦手段を提供して、シリンジホルダーが不注意で外れてしまう可能性を減らす。
【００３９】
特に望ましい実施例によると、シリンジホルダーは、防止部材を具え、医療用インジェクターとホルダーの分離を規制している。望ましくは防止部材は、シリンジがホルダー中に存在している場合、医療用インジェクターとホルダーの分離を止める。特に望ましい実施例によると、防止部材は、プランジャーが特定の位置に存在していない場合、医療用インジェクターとホルダーの分離を停止する。他の特に望ましい実施例によると、防止部材は、プランジャーが十分に引っ込んだ状態でない場合、医療用インジェクターとホルダーの分離を止める。
【００４０】
本発明の防止部材は、ロックポストの形状の場合、シリンジセンサと隣接して設置するのが望ましく、それによってシリンジホルダーは、シリンジが取り付けられて有る時も注入中も、取り外すことができない。加えて、ホルダーを（例えば時計回りの回転によって）完全にロックしなければ、シリンジは、取り付けることができない。この実施例は、シリンジの存在を確認するセンサが無い場合に特に有用である。この実施例のホルダーは、シリンジが既に取り付けられている場合には、取り付けることができないものと理解される。
【００４１】
望ましくは、この実施例に基づくロックポストは、本発明に係る検知システム（後述する）のシリンジフラッグ形状と同じ幅で、且つ同軸上に取り付けられる。ホルダーを取り付けると、（回転なしに）差込みスロットが完全に差込みポストと係合している場合、フラッグはホルダーと略々接触する。この実施例によると、装着位置において、シリンジが取り付けられ、フラッグが後方へ押し出された状態では、ホルダーを反対向きに（本件では反時計回りに）回転させることができない。
【００４２】
発明の更なる特徴によると、医療用インジェクターシステムと共に用いられるシリンジ用のハブが提供され、ハブは、シリンジのバレルと係合しながら摺動するように形成された外表面と、プランジャーが着脱可能に係合するように形成された略環状の係合部を有する内表面とを具えており、プランジャーがハブを選択的にバレルに沿って引き込めるようになっている。
【００４３】
ハブがこれらの特徴を具えることにより、後述の如く、使用効率と、注入される患者の安全性とに関する多くの利益を得ることができる。プランジャーはインジェクター上に残っているので、本発明のハブを有するシリンジは、その上に取り付けることができ、従って、より迅速な前方取付が可能となる。加えて、前方取付により、何れの延長チューブもシリンジの前部（患者の直近部）から取り外す必要が回避されるので、汚染されている可能性のある血液を流出する危険性は減少する。
【００４４】
係合部は、何れかの利便的な形態、例えば、空洞や溝又は隆条であってもよい。係合部が溝である場合、溝は半円の横断面を示し、或いは溝は、ハブの内表面の円周に沿って少なくとも部分的に延びている。シリンジのバレルに沿った移動を妨げる、ハブの後部からの突起は無いことが望ましい。
【００４５】
この種のハブは、多くの利点を有している。薄い一定の壁厚は、注入成形に申し分なく適しており、必要とされる材料の減量と、成形サイクル時間の短縮、及び必要なものは簡単な機械器具のみであるという点に鑑みて、製造の経済化を提供している。
【００４６】
ある望ましい実施例によると、ハブの内表面は、プランジャーの外表面に対し、相補的な形状である。望ましくはハブの内表面は、プランジャーと接触する内孔を具えている。この様な構成により、ハブに対する補強効果を提供する利点のある密着（ｆｏｒｍ ｆｉｔ）が可能となる。これは、従来技術のハブと較べてハブの壁厚を薄くすることができ、その結果、前述した製造の経済化に寄与している。望ましくはプランジャーは、先細テーパの前端を有しており、ハブと係合する際、本質的に“セルフセンタリング”となる。これは又、ハブに連結された任意のシールを均一に同軸に支持し、特に高圧で所定の医療用インジェクターに用いられた時、従来技術のハブと較べて改良されたシールを提供する。高圧では、ハブは強制的に拡張され、シリンジバレルに対するそのシールを改善することができる。
【００４７】
ハブの望ましい弾性の性質は、係合部での保持部材の圧力嵌合（ｐｏｓｉｔｉｖｅ−ｆｉｔ）又は強制ロック（ｆｏｒｃｅ−ｌｏｃｋｉｎｇ）を有利に提供し、シリンジの内容物が高圧で排出される際に、相当な力を加えることが可能となる。
【００４８】
ハブは又、ハブの外表面の少なくとも一部に連結されたシールと係合するように形成されているか、或いはハブは、シールの機能を果たしている。ハブ又はシールは、Ｏリングと組み合わせて用いられる。望ましくはシールは、ハブと分離しているか否かに拘わらず、延長された前線を有しており、圧力下でのシールの効率性を向上している。
【００４９】
発明の更なる特徴によると、医療用インジェクターシステムに使用されるシリンジ用のプランジャーが提供され、シリンジは、バレルと、該バレルに沿って摺動しながら係合するハブとを有し、プランジャーは、ハブの内表面にある略環状の係合部と着脱可能に係合するように形成された保持部材を具え、プランジャーがハブを選択的にバレルに沿って引き込めるようになっている。
【００５０】
前述の通り、ハウジング内に設置され、ハブの係合部と着脱可能に係合する保持部材を具えたプランジャーを提供することにより、インジェクターシステムに連繋さた単一のプランジャーを、複数の、且つ各々が本発明のハブを具えたシリンジに使用することが可能となる。保持部材は、プランジャーがハブと係合し、ロックすることにより、該ハブを後方又は前方へシリンジバレルに沿って駆動し、流体をシリンジ内に引き込む、又はシリンジ外へ引き出すことを可能にしている。２つ以上の保持部材が存在することが望ましい。
【００５１】
本発明の保持部材は、任意の適当な型式であってよい。望ましくは保持部材は、機械的及び／又は電気的に、着脱可能にハブと係合する。この実施例によると、（プランジャーをハブの中に押し入れることによる自動係合とは異なり、）作動によってプランジャーをハブと係合させることができる。これは、プランジャーによるハブのロックと解除について、より優れた制御を造り出すが、このことは、プランジャーの移動を電子的に制御する装置にとって重要なことである。例えば、流体の排出後、シリンジの最前部（出口）にてハブを解放するのに特に有利である。なぜなら、これにより、シリンジの再利用の可能性は最小となるからである。他の望ましい実施例によると、着脱可能な係合は、錘機構によって少なくとも部分的に作動されている。
【００５２】
ある望ましい実施例によると、着脱可能な係合は、プランジャーの引込みによって作動される。他の実施例によると、プランジャーは、錘機構に対応するように形成されていて、プランジャーが特定の姿勢にある時、保持部材が作動する（例えば、プランジャーから突出する）ように形成されている。
【００５３】
別の望ましい実施例によると、着脱可能な係合は、プランジャーの引込時に自動的に生じ、プランジャーの前方移動中及び移動後に引き続いて、自動的にハブを外し、注入後、シリンジをロック解除し、自由に安全に取り出せるようにする。こうした実施例は、下記の通り機能する：
【００５４】
作動部材（コーン部）のノーズ部が作動部材に取り付けられ、それは、プランジャー駆動装置へと順に固定される。プランジャーは、後方に駆動されてシリンジ内を引き上げ（充填し）、次に前方に駆動されてシリンジ内を排出する。プランジャーは、限定された範囲の遊びはあるが、摺動可能に作動部材と係合していることに留意すべきである。又、プランジャーの自由な滑りも摩擦シールによって多少減少することに留意されたい。この実施例によると、プランジャー駆動装置と作動部材が方向を逆転する時は必ず、作動部材が数ミリ移動するまでプランジャーは動かず、そしてハブのロック機構は状態を変える。
【００５５】
作動部材は、一時的に停止したプランジャーの中で摺動する。駆動装置及び作動部材は、プランジャー及びロックピンに対して相対的に前方に移動し、該プランジャー及びロックピンが引っ込み、シリンジをロック解除できるようにする。プランジャー駆動部の肩がプランジャーの後部に当たるまでは、（シールの摩擦のせいで）プランジャーは動かず、その時点でハブは前進を始めて、シリンジに流出を起こさせる。ハブをロック解除する目的は、注入後の使用済シリンジを除去できるようにするためである。
【００５６】
プランジャーが再び引っ込み始めると、プランジャー（及びハブ）は一時的に静止し、コーンは、ロックピンに対し相対的に引っ込み、該ロックピンを延ばして、プランジャーにハブをロックする。作動部材の肩部は次に、プランジャーの内肩部に突き当たり、プランジャーとハブを充填等のために後方へ引き込む。
【００５７】
従って、このシステムは、ハブがロックされているかロック解除されているかを適当な時間に自動的に確認し、オペレータと患者のために、不便性を回避し、インジェクターの安全性を高める。もちろん、インジェクターに連結されたコントローラは、プランジャーが方向を逆転すると必ず、固有の“遊び”を考慮に入れるよう設計されている。
【００５８】
この実施例は下記の利点を有している：
（ａ）プランジャーが前進すると必ず、ロックピンが自動的に速やかに引っ込み、既にハブがプランジャーと係合しているか否かに拘わらず、プランジャーが自由にハブの中に入ることができる。重力作動式ロックシステムでは、ピストンは、ヘッドが上方へ傾く（及びロックされる）前にプランジャーと係合しなければならない。
（ｂ）重力作動式ロックシステムでは、ヘッドを下向きに傾けてロック解除せねばならず、その次にシリンジを取り外すことができる。
（ｃ）シリンジハブは、針の開通検査のためも含めて、いつでも引き込められる。前もって予め充填されたシリンジは、いつでも簡単に“頂部を上向きに（ｔｏｐｐｅｄ ｕｐ）”できる。前もって予め充填されたシリンジは、ヘッドを上方に向けた状態でパージできる（これは重力ロックシステムでは不可能であった。なぜなら垂直姿勢の時、ロックピンは自動的に延びるが、プランジャーは未だハブとは係合していないからである。）
（ｄ）ハブは常に注入後にロック解除され、インジェクターシーケンスにおける、この論理的時点でシリンジを安全に取り外すことができる。
（ｅ）ハブは、プランジャーが引き込まれると必ず、自動的に速やかにロックされ、確実にハブは後方へ引っ張られる。
（ｆ）新たなシリンジは、プランジャーを組み立てて、バレルに沿った任意の位置に配置される（前述の重力ロックシステムでは、ハブは、バレルの最後部に設置されねばならない）。
（ｇ）この概念は、頑強で信頼性がある。
【００５９】
他の実施例によると、保持機構は、（充填及びパージングの際に必要なため、）シリンジが垂直に設置された時にだけ付勢されてロックし、注入位置で自動的にロック解除される。これは、シリンジ内への血液の引入れ又はシリンジの再利用を防ぐために望ましいことである。プランジャーの移動に対する一定の制御について考えると、この機構は、シリンジの再利用を最小化又は防止することのできる注入システムの一部を構成することができ、その結果、次から次に患者が患者間感染するのを防止する手助けとなる。例えば、下記のシナリオについて考えると：
【００６０】
新たなシリンジは通常、保持部材とハブが完全に引っ込んだ状態で供給される。シリンジは、インジェクターの固定された保持スリーブ（ホルダーの一部）の前端を通って取り付けられ、シリンジ及びハブは、インジェクターのプランジャーと一直線に並べられる。インジェクターは、充填の後、シリンジの前（出口）部が後（患者から最遠）部と同じ高さ、又はそれより低くなるように設置された状態でのみ注入することができる。即ちシリンジは、水平又は下向きの姿勢にあって、残留する如何なる少量の空気をも注入することを回避している。このシステムでは、プランジャーは、注入完了後、直ちに自動的に引っ込み、それによって使用済みのハブが排出位置に置かれる。プランジャーは、シリンジの向きが垂直になると、要求に応じてのみ引っ込むことができる。ハブにロックするインジェクタープランジャーについては、プランジャーは、保持部材が延ばされる前に、完全にハブと係合せねばならない（このシステムは、プランジャーが水平から垂直に傾けられると、保持部材を延長する）。新たなシリンジが取り付けられると、ハブは、保持部材が働かない状態でインジェクターのプランジャーと係合し、インジェクターがその後、上方へ傾けられると、加重ロッドのような錘機構は、重力によって後方へ摺動し、保持部材を作動させてハブをプランジャー上に把持する。インジェクターは、プランジャーを引っ込めて、シリンジ内に流体を注ぎ込むことによりシリンジを充填する。
【００６１】
（たとえ部分的な排出であっても）使用済みのシリンジがインジェクター内に取り付けられると、そのハブは、作動部材が働いていない状態で、引っ込んだプランジャーの前方に設置され、該プランジャーと係合することができない。インジェクターが上方に傾けられる（その結果、シリンジの前部を上方に傾ける）と、保持部材は延びるが、ハブを固定しない。それ故、ハブは引き戻されず、シリンジは再充填されることができない。
【００６２】
本発明と共に又は本発明に基づいて使用されるシリンジは、独自のプランジャーを有していないため、シリンジの後部からの突起はない。それ故、輸送中及び操作中にハブを取り外す危険性は殆ど無い（前記した通り、シリンジは、できるだけ後方でハブと組み合わされて最良の組立となる）。
他の望ましい実施例によると、保持部材は、ハブとの係合から離れるように付勢される。
【００６３】
他の望ましい実施例では、保持部材は、プランジャーに施された空間の内側に少なくとも部分的に設置された作動部材を具え、ロック部材は、保持部材及び／又はプランジャーの一端に、或いはその一端の隣に設置され、該ロック部材は、ハブの係合部と係合するように又は係合が外れるように、保持部材によって動かすことができる。
【００６４】
保持部材は、任意の適切な部材を具えるが、それはカム又はコーンであることが望ましい。望ましくはカム又はコーンは、錘機構によって付勢された位置又は付勢から離れた位置へ動かされ、プランジャーの所定の姿勢に対応して保持部材を突出させる。
【００６５】
他の望ましい実施例によると、作動部材は、ロッド部とノーズ部を有しており、ロック部材は、解除位置にて、プランジャーとノーズ部の間に設置される。望ましくは作動部材は、プランジャーの孔に沿って長手方向に移動可能であり、望ましくは保持部材は、ピンを具えている。特に望ましい実施例では、２つ以上のピンがある。
【００６６】
更なる望ましい実施例によると、プランジャーは、シリンジの手動充填ができるように形成されている。プランジャーをシリンジの手動充填用に形成することにより、シリンジをインジェクターに取り付ける必要もなく手で充填することができる。これは、多数のシリンジを予め充填し、それによってシリンジを次から次に交換する工程を迅速化できるという利点を有しており、インジェクターが前の患者に注入している時、新たなシリンジを充填することができる。加えて、本発明のこの特徴に基づくプランジャーは、一連のシリンジを手で充填するために使用し、次に、患者への注入のためにインジェクターへ設置することができ、そうすることによって、個別の手動充填装置に対する必要性が最小となる。
【００６７】
本発明のこの特徴に基づくプランジャーは、ハブがシリンジバレルの最前部に位置している時は、ハブと接することができないように、シリンジのバレルより十分短くなっていることが望ましい。言い換えれば、プランジャーは、最大のシリンジストロークよりも僅かに短いために、シリンジが使用された後にハブと係合することができない（シリンジは完全に排出されたと仮定する）。本発明のこの特徴に基づくプランジャー／プランジャー装置は、ハブを把持してシリンジ内に引き込むことができないために、シリンジの再利用（及び患者間感染）の可能性を減少させる。プランジャーは、ハブがシリンジバレルの最前部に位置している時は、ハブと接することができないよう、シリンジのバレルより十分短くなっていることが望ましい。
【００６８】
本発明の更なる特徴によると、医療用インジェクターシステムに使用されるシリンジ用のプランジャーが提供され、シリンジは、バレルと、該バレルと摺動しながら係合するハブとを有し、プランジャーは、該プランジャーによってハブを選択的にバレルに沿って引き込めるように、ハブの係合部と着脱可能に係合するように形成された保持部材と、プランジャーとハブの係合の程度を検出するセンサとを具えている。
【００６９】
本発明のこの特徴に基づくセンサは、機械、電磁又は光センサ等の、任意の適当なセンサであってよい。望ましくはセンサは、プランジャーとハブとの完全な係合を検出する。センサが光センサである場合、望ましくは光ファイバーケーブルを具えている。
【００７０】
ある望ましい実施例によると、光ファイバーは、プランジャー内に埋め込まれており、一端をプランジャー表面と同一面に露出させ、プランジャーがハブと完全に係合すると同時に、該端部がハブに覆われるよう慎重に設置される。軟性ファイバーは、プランジャーの後端部を通って外へ出され、適当な緩い環を経たファイバーの他端は、ファイバーを通じて伝達された光に対応できる光検出器に接続される。プランジャーが頻繁に前後へ移動するので、ファイバーは、プランジャーと通信するための便利で確実な手段であることに留意されたい。本発明では、ハブは不透明な物質でできており、シリンジバレルは透明である。
【００７１】
インジェクターは、普通に照明された環境で常時使用されるので、ファイバーは通常、（シリンジハブが無い時は）光を“見る”。もちろん、部屋の光が不十分であれば、プランジャーは、インジェクターによって可視光線又は赤外線で照明することができる。プランジャーがハブと係合すると、周囲光は、ファイバーの先端から遮断され、光検出器と制御装置に信号を送る。
【００７２】
この装置は、プランジャーがピストンに入った時を検出し、インジェクター制御装置に接続されると、次の利点と増大をもたらす：
（ａ）シリンジが予め充填されている場合、プランジャーは、注入開始前にハブと係合していなければならない。それによって、インジェクターがスタートすると、ハブは直ちに排出を開始する。この装置は、インジェクターが、（望ましくない無駄と混乱を招きうる）ハブの押圧を行なうことなく、安全かつ正確にハブ及びプランジャーと係合することができる。
（ｂ）後述のシリンジ検出システムと連繋して使用されると、シリンジが予め充填されているか、或いはハブが完全に引っ込んでいない場合に、プランジャーは、自動的に前進してハブと係合し、次に正確に停止することができる。
（ｃ）自動的（例えば電子的）に制御された、ハブとプランジャーとの係合機構が用いられた場合、このセンサは、ピストン保持機構がロックの準備ができていることを示すのに用いることができる。
（ｄ）錘ロック式プランジャーとシリンジ存在検知センサを連繋して使用すると、この装置は、シリンジが初めに取り付けられる際に、ハブが完全に引き込まれているか否かを信号で知らせることができ、それによってシリンジが新しいものか否かを確認し、又はシリンジが使用済みであり、汚染されている可能性があることをオペレータに警告する。
（ｅ）本装置は又、引込又は充填中にピストンが分離すると、信号を発することができる。
【００７３】
本発明の更なる特徴によると、医療用インジェクターシステムと共に使用されるシリンジを手動で充填するための装置が提供され、該シリンジは、バレルと、該バレルと摺動可能に係合するハブとを有し、該装置は、プランジャーと、ハブの係合部へ着脱可能に係合するように形成された保持部材とを具え、プランジャーがハブを選択的にバレルに沿って引き込めるようになっている。
【００７４】
こうした装置によって、オペレータは、シリンジをインジェクターに取り付ける必要もなく、シリンジを手で充填することができる。これは、多数のシリンジを予め充填し、それによってシリンジを次から次に交換する工程を迅速化できるという利点を有しており、インジェクターが前の患者に注入している時、新たなシリンジを充填することができる。加えて、本発明のこの特徴に基づく装置は、一連のシリンジを手で充填するために使用し、次に、患者への注入のためにインジェクター内に設置することができ、そうすることによって、別の手動充填装置を必要とすることが最小となる。
【００７５】
本発明のこの特徴に基づく装置は、ハブがシリンジバレルの最前部に位置している時は、ハブと接することができないように、シリンジのバレルより十分短くなっていることが望ましい。言い換えれば、本装置は、最大のシリンジストロークよりも僅かに短いために、シリンジが使用された後にハブと係合することができない（シリンジは完全に排出されたと仮定する）。本発明のこの特徴に基づく装置は、ハブを把持してシリンジ内に引き込むことができないことにより、シリンジの再利用（及び患者間感染）の可能性を減少させる。本装置は、ハブがシリンジバレルの最前部に位置している時は、ハブと接することができないように、シリンジのバレルより十分短くなっていることが望ましい。
【００７６】
望ましくは保持部材は、機械的及び／又は電気的に、着脱可能にハブと係合される。
他の望ましい実施例によると、着脱可能な係合は、少なくとも部分的に錘機構によって作動される。他の望ましい実施例によると、着脱可能な係合は、プランジャーの引込みによって作動される。望ましくは保持部材は、ハブとの係合から離れる方向に付勢される。
【００７７】
更なる望ましい実施例によると、保持部材は、プランジャーに施された空間の内側に少なくとも部分的に設置された作動部材を具え、ロック部材は、保持部材及び／又はプランジャーの一端に、或いはその一端の隣に設置され、該ロック部材は移動可能であって、保持部材によってハブの係合部と係合する又は係合解除することができる。保持部材は、任意の適当な形状でよく、カムやコーンであってもよい。
【００７８】
他の望ましい実施例によると、作動部材は、ロッド部とノーズ部を有しており、ロック部材は、解除位置にて、プランジャーとノーズ部の間に設置される。望ましくは保持部材は、ピンを具えている。
本発明の他の特徴によると、本発明のハブを具えたシリンジを手で充填するための方法と、本発明に基づいてシリンジを手で充填するための装置が提供され、次の工程を具えている：（ｉ）装置をシリンジバレルの中に導入し、該装置をハブの内表面と係合させる。（ｉｉ）装置を作動させ、保持部材がハブの係合部と係合するようになす。（ｉｉｉ）係合されたハブをシリンジバレルに沿って引き込み、その間に流体をシリンジに引き入れる。
【００７９】
本発明の更なる特徴によると、医療用インジェクターシステムと共に用いるシリンジが提供され、前述したハブを有している。
本発明の更なる特徴によると、医療用インジェクターシステムと共に用いるシリンジが提供され、前述したプランジャーを有している。
本発明のこの特徴に基づくシリンジの、特に望ましい実施例では、シリンジは、前述したプランジャーと前述したハブとを具えている。
【００８０】
本発明の他の特徴によると、医療用インジェクターシステムと共に用いる検出システムが提供され、医療用インジェクターシステムに連結されたシリンジホルダーの存在を検出する検出部材を具えている。センサは、光センサ、機械センサ又は電磁センサ等の、任意の適当な型式であってよい。光センサであるのが望ましい。センサが光センサの場合、望ましくは検出システムは、光を検出システムに反射する反射部材を更に具えている。反射部材は、シリンジ又はインジェクターシステム等の、任意の適当な部品に連結されている。若しくはセンサシステムは、光遮断具、コンタクト、又は機械式スイッチ部品を具えている。
【００８１】
ある望ましい実施例によると、ホルダーの組立中に、シリンジストッパ（又はブッシュ）及びバネストッパは通常、接着剤、ネジ、又はピン等の、任意の適当な手段によって、ホルダー内の所定位置に固定される。両ストッパは、外表面に小さな縦溝を有し、フラッグは、摺動可能なシリンジフラッグを支持しており、２つのストッパによってフラッグバネと共に所定位置に保持される。圧縮バネは、後部固定バネストッパとフラッグタブとの間に取り付けられ、それにより、フラッグを前方へ付勢する。シリンジが取り付けられていない状態では、フラッグはシリンジストッパの前方へ突起し、そのタブは、シリンジストッパの後方に引っ掛かる。シリンジストッパの二次的機能は、プランジャーを支えて中心に置き、シリンジの周りの、及び／又はシリンジからの洩れ流体がインジェクターの中へ入るのを防ぐことである。
【００８２】
要するに、本発明のこの特徴に基づく検出システムは、少なくとも３つの機能を果たすことができる：
１　シリンジエジェクタ：ある実施例によると、検出システムは、摺動可能に溝に嵌め込まれたフラッグを具え、フラッグバネによって前方へ付勢される。シリンジがホルダーに取り付けられると、シリンジの後縁部はフラッグに突き当たり、該フラッグを後方へ押して、フラッグの先端がシリンジストッパと同一平面になるまでフラッグバネを圧縮する。シリンジキャッチが開いている場合、シリンジがフラッグによって部分的に前方へ排出され、シリンジは把持されて取り除きやすくなる。
２　回転防止装置：大抵の他のシリンジ／ホルダー装置とは違い、本発明では、シリンジは、軸の周りを回転させることができる。（シリンジが取り付けられた後に）チューブがシリンジに取り付けられると、オペレータは、接続部を時計回りにねじり、該接続部をシリンジ上の溝に係合させてロックする必要がある。シリンジが回転するのを抑制するには、シリンジを一方の手で保持する必要があるが、フラッグがこの役割を果たしている。フラッグの前端部は、斜めに切られ、尖っており、それによってシリンジの中を掘り進むことができ、その結果シリンジの回転を減少させる。
３　シリンジセンサ：検出システムと連繋して、フラッグは、ホルダー内のシリンジの存在を検出する。シャープＧＰ２Ｌ２４等の反射する赤外線センサは、直ちに使えるセンサの例であり、システムの一部として使用できる。フラッグがシリンジによって後方へ押し出されると、反射するフラッグの後方端部がセンサによって検出され、そしてインジェクターシステムに連結されたコントローラに信号を送る。
【００８３】
シリンジの電子センサは、インジェクターシステムに連結されたコントローラに接続され、インジェクターの機能性と安全性を向上する。例えば：
（ａ）患者間の院内感染を避けるため、インジェクターが次の充填又は注入を可能にする前に、シリンジを交換することが重要である。
（ｂ）重力作動式プランジャー／ハブロック機構を用いる場合、インジェクターのヘッドが水平方向の時（即ちピストンが解除されている時）にのみ、シリンジを取り外すべきである−垂直方向の時に取り外そうとすると、インジェクターコントローラは、オペレータに警報を発することができる。
（ｃ）機械作動式ピストンロックの場合、インジェクターコントローラは、シリンジの取付けの後、自動的にロックする。
（ｄ）他のインジェクターと同様に、ハブがプランジャーから解除されていなければ、シリンジを取り外すべきではない（さもなくば、ハブがシリンジバレルから分離され、汚染された流体又は薬物を流出することになりかねない）。記載された幾つかの実施例の場合、シリンジは、前方（注入）ストロークの終了時にのみ取り外すことができる。故に、注入後にシリンジが取り外されたことをセンサが通知するまで、コントローラは、プランジャーを引っ込めてはならない。
（ｅ）全てのシリンジホルダーでは、注入中に偶発的に開いたり不具合が生じることを避けるため、装置を、使用される前に所定位置に完全にロックすることが重要である。シリンジホルダーが完全にインジェクターシステムと係合していないと、フラッグは、ホルダーを完全にロック位置に回転させるまでは、（インジェクターの作動を規制している）直近のセンサを横切らず、シリンジが存在してしまうことに留意すべきである。
【００８４】
同様に、当該分野の専門家であれば理解し得るとおり、フラッグを利用しないで、他の形式の検知機構を用いても、同様な、もしくは別の利点がある。本発明のこの特徴での、センサーシステムの別の利点は、
（ａ）敏感なエレクトロニック近接センサーは、漏れた注入液が該センサーを損傷もしくは浸入しないように、完全に防護されている。
（ｂ）ある特定の実施例では、該ホルダーは取り外して洗浄することが可能であるが、該センサーが洗浄液に曝されることがない。
（ｃ）該システムは、剛体（フラッグは別として）であり、そのため、強固で信頼性が高い。
ことである。
【００８５】
本発明の他の特徴では、シリンジから患者に流体を注入するための、医療用インジェクターシステムが設けられている。該シリンジは、バレル及びバレルに摺動可能に取り付けられるハブを有している。該ハブは、内部表面に係合部を具えており、プランジャーを着脱可能に接続することができる。該インジェクターシステムは、（ｉ）該ハブを機能させるプランジャーを具えている。該プランジャーは、保持部材を具え、該ハブの係合部に着脱可能に接続することができる。；及び（ｉｉ）シリンジホルダーを具えており、該シリンジホルダーは、該シリンジのバレルを受ける様に形成されたホルダー部材；及び、回転可能なキャッチを具えており、ホルダー部材内に、該シリンジを着脱可能に固定することができる。ホルダー部材上に、位置決め具も配備して、シリンジの一端をホルダー部材内の所定位置に位置決めすることが望ましい。
【００８６】
望ましい実施例では、シリンジホルダーは、係合部を具えており、従って、医療用インジェクターに、簡単に着脱可能に係合することができる。シリンジホルダーの該係合部は、ロック部材を有しているのが望ましい。シリンジホルダーの該ロック部材は、ロックができる任意の手段であってもかまわないが、スロット又はピンを具えているのが望ましい。
【００８７】
他の望ましい実施例では、医療用インジェクターシステムは、更に、（ｉ）流体をシリンジに導き、又はシリンジから流出させるために、シリンジに接続する様に形成されたチューブ、及び（ｉｉ）該チューブを医薬流体が入っている容器に接続するためのコネクタ、を具えている。その結果、流体を、容器からシリンジへ引き出すことが可能となる。コネクタは、中空のスパイクを具えており、該スパイクが栓を貫通することにより、容器内の栓を貫く孔を形成する。
【００８８】
該コネクタは、更に、（ｉ）ロック鍔を有する雄ルアー部及び、（ｉｉ）スパイクを該雄ルアー部から永久に係合しない様にする非係合部、を具えているのが望ましい。望ましくは、該非係合部は、折れ易いネックを有している。スパイクは、逆棘部を有し、容器からスパイクが抜けるのを防止する。
【００８９】
接続には、差し込み溝（ｂａｙｏｎｅｔ）、スナップロック、ネジ接続等の、当該分野で知られているいかなる便利な接続手段でも構成可能なことは、容易に理解し得るであろう。スパイクは折られ、雄ルアー片が連繋したチューブの端に残る。
【００９０】
スパイク、所望により、折れ易い（孔付き又はシールされている）スパイク、及び雄ルアー連結具の組み合わせが、チューブ及びシリンジと常に係合するように形成されている。このように組み合わせて使用することで、一度きりしかデバイスを充填できなくなり、故に、医薬流体の薬瓶を多数混入したり、他の患者に、患者から患者へ感染したりすることもなくなる。
【００９１】
該スパイクコネクタが、コネクタの折れ易い部分であったり、チューブやシリンジに常に取り付けられる様に形成されていれば、シリンジを再度充填することは大変困難となり、そのため、薬瓶や他の患者との患者間感染も不可能となる。加えて、このようにアレンジすることは、材料費を大いに削減する。シリンジ、スパイクコネクタ及び折れ易いスパイクは、一つのセットとして供給することが出来る。望ましくは、該スパイクコネクタは、予め、静脈カテーテル、つまりは患者へのチューブの係合を取り外しておくと良い。
【００９２】
他の望ましい実施例では、医療用インジェクターシステムは、更に、チューブと雄ルアーコネクタ間にクランプを具えており、該クランプは、雄ルアーコネクタのロックス溝中へ移動して、チューブを雄ルアーコネクタへ留めつける。該クランプは、掴み部を具えており、該クランプとチューブをより強力に締め付けるのが望ましい。該掴み部は、任意の適当な形式、例えば、戻止め付きリング、戻止め付き歯、ネジ溝、鋸歯状グリップ、隆条（例として環状隆条）、後部フランジもしくは内面テーパ等がある。特に望ましい実施例では、クランプは、不正操作できないようになっている。
【００９３】
特に望ましい実施例では、医療用インジェクターシステムは、更に、ベース部材及びセンサーを設けており、該ベース部材に対してシリンジホルダーの位置を検知する。該センサーは、シリンジホルダーとベース部材間の角度を検知するのが望ましい。
【００９４】
他の望ましい実施例では、スイッチを具えており、その位置によって、自動的に、バレル内のプランジャーを動かしたり止めたりする。該スイッチは、適した手段である限り、いかなるメカニズムであっても作動可能である。ある実施例では、錘機構によって作動している。
【００９５】
特に望ましい実施例では、更に、プランジャーを制御するために、コントローラを具えている。少なくとも、インジェクター操作のいくつかは、エレクトロニクス又はソフトウェアによって、自動化しておくのが望ましい。例えば、インジェクターは、１又は２以上の重力作動式もしくはシリンジ角作動式。チルトスイッチを具え、インジェクターの作動中、少なくともシリンジの動きを開始したり、固定したりする。
【００９６】
他の望ましい実施例では、システムは、コントローラ及びセンサーを具えており、ベース部材に対して、シリンジホルダーの姿勢を検知する。該センサーは、任意の適当な特徴のものを用いることは可能だが、シリンジホルダーとベース部材間の角度を検知するものが望ましい。
【００９７】
コントローラは、プランジャーを移動して、チューブを介してシリンジに接続されている静脈カテーテルの開通テストに利用可能であることが望ましい。現在のところ、この試験は手動で、十分に注意して行われるべきであり、その結果、静脈の損傷や破裂の可能性を回避できる。
本実施例では、ここに述べたように、医療用インジェクターシステムは、ハブ、プランジャー、シリンジホルダー、一つ以上のセンサー及び／又はシリンジを用いることになる。
【００９８】
センサーが設けられているのであれば、該センサーは、インジェクターシステムに連繋しているコントローラに伝達しているのが望ましく、プランジャーの動きをより制御せしめる。該伝達対応により、ハブを動かすことなく、プランジャーとハブを連結できるのが望ましい。望ましい実施例の一例においては、該伝達により、プランジャーとハブは、着脱可能にロックすることが可能となる。他の望ましい実施例でも、該伝達が、プランジャーとハブを、着脱可能にロックせしめる。更に他の望ましい実施例では、該伝達により、使用済シリンジの検知が可能となる。
【００９９】
更にその上、他の望ましい実施例では、ハブが最大後退状態の前方位置にあることをセンサーが検知すると、信号が発せられる。他の望ましい実施例では、伝達することで、エラーを検知することができる。ハブとプランジャーの分離が早すぎた時には、信号が発せられるのが望ましい。
【０１００】
他の望ましい実施例では、該伝達によりプランジャーを移動させ、シリンジへ流体を注入及びシリンジから排出することが可能である。例えば、該伝達で、プランジャーの移動を可能とし、又は移動禁止することも可能である。これは、様々な理由、もしくは様々な刺激に基づいて可能となり得る。例えば、プランジャーは、使用後、シリンジが取り外されていない場合、又は、使用前に、シリンジが規定のレベルに連結されていない場合は、移動できない。
【０１０１】
他の望ましい実施例では、シリンジを、ある姿勢で取り外そうと試みた場合に、信号が発せられる。該信号は、ほぼ垂直位置にある間に、シリンジを取り外ずそうとすると発せられるのが望ましい。
他の望ましい実施例では、シリンジが取り外されていないのを知らせるために、信号が発せられる。使用の後、シリンジが直ちに取り外されない場合に、信号が発せられるのが望ましい。
【０１０２】
本発明の特に望ましい実施例では、密封された容器からシリンジに、医薬流体を充填する方法が提供されており、医療用インジェクターシステムに使用するシリンジは、（ｉ）該シリンジの前方部分を後方部分に比べて高位置にする。（ｉｉ）予め決められた患者の用量に対応する位置まで、プランジャーをシリンジ内で前進させる。（ｉｉｉ）プランジャーの一連の前後運動を制御し、該シリンジ及び連結している全てのチューブから、容器ボトルへ空気を排出する。そして、所望量の流体を該シリンジに充填する。という工程を含む。
【０１０３】
本発明の更に他の特徴でも、密封された容器からシリンジに、医薬流体を充填する方法が提供されており、医療用インジェクターシステムに使用するシリンジは、以下に述べる工程を含む。（ｉ）該シリンジの前方部分を後方部分に比べて高位置にする（ｉｉ）予め決められた患者の用量に位置まで、プランジャーをシリンジ内で前進させる。（ｉｉｉ）プランジャーの一連の前後運動を制御し、該シリンジ及び連繋している全てのチューブから、容器ボトルへ空気を排出する。そして、所望量の流体の薬を該シリンジに充填する。
【０１０４】
これらの方法では、外気を遮断することで、流体や患者へ病原菌が侵入する可能性をかなり低減できる。更に、本方法は、一操作で、シリンジとチューブを同時に充填又は排出するのに便利で都合が良い。また、同様に、従来の方法に比べて、使用する素材のコスト及びシリンジを充填するのにかかる時間を減少するのに適している。シリンジ及び連繋してある延長チューブに充填及び空気排出するのも、操作を組み合わせることにより、一操作で可能となる。更に他の望ましい実施例では、流路の構成要素全てが、密封された一システムとして連繋されている。
【０１０５】
本実施例では、ボトル内の空気圧力とシリンジ内の半真空を組み合わせることによって、従来の空気調節システムよりも、二つの容器に一層大きな気圧差を発生させることになる。その結果、シリンジの充填時間を短縮できる。
充填方法の望ましい実施例では、スパイクコネクタを栓へ挿入し、インジェクターで、自動“ＦＩＬＬ”機能を選択すると、インジェクターは、ピストンを制御しながら、ピストンが一連の前後運動をするように機能する。その結果、シリンジ及びチューブ内の全空気がボトルへ移り、所望の流体の薬が患者へ注入される。
【０１０６】
本方法の他の望ましい実施例では、シリンジ姿勢によって、プランジャーの移動方向を自動的に制限する工程を含む。後方部分に比べて前方部分が高位置になると、プランジャーは前後両方向に移動できる。前方部分に比べて後方部分が高位置になると、前方向にのみ移動する。こうすることによって、気泡が確実にシリンジ後方に集まり、患者へ気泡が注入される可能性が低くなる。本工程は、ティルトスイッチもしくはセンサーによってなされるのが望ましい。それによって、空気排出及び充填の際に、前方部分を持ち上げてシリンジを傾け、該シリンジ内にとどまる空気を最小限にする。
【０１０７】
本発明の他の特徴では、医療用インジェクターシステムを用いて、患者へ注入する方法が提供されており、ここで述べる工程を含む。（ｉ）プランジャーをハブに連結する。（ｉｉ）シリンジバレルに沿ってハブを移動する；そして（ｉｉｉ）シリンジから患者へ流体を排出する。
【０１０８】
本発明の更に他の特徴では、クレーム［参照］によると、シリンジホルダーを医療用インジェクターに係合する方法が提供されており、以下の工程を含む。（ｉ）シリンジホルダーの係合部分を、医療用インジェクター上にある相補部分と一直線上に位置づける。（ｉｉ）シリンジホルダーを医療用インジェクターへ係合する。
望ましい実施例の一つでは、更に、シリンジホルダーと医療用インジェクターシステムの係合レベルを検知する工程が加えられている。
【０１０９】
本発明の更に他の特徴では、後述するとおり、医療用インジェクターシステムからシリンジホルダーを外す方法が提供されており、以下の工程を含む：（ｉ）医療用インジェクターとシリンジホルダーの連結を外す；そして（ｉｉ）医療用インジェクターからシリンジインジェクターを取り外す。
更に、シリンジホルダーと医療用インジェクターシステムの係合分離レベルを感知する工程も設けられているのが望ましい。
【０１１０】
本発明の更に他の特徴では、後述するとおり、医療用インジェクターシステムに連結されたシリンジホルダーへ、シリンジを入れ込む手法が提供されており、以下の工程を含む：（ｉ）シリンジバレルをホルダー部材に挿入し、キャッチを変位させる；そして（ｉｉ）キャッチ機構を、付勢された位置へ戻すことで、シリンジを係合し、ホルダー部材内で該シリンジを保持する。
【０１１１】
本発明の更に他の特徴では、医療用インジェクターシステムに係合したシリンジホルダーから、シリンジを取り除く手法が提供されており、以下の工程を含む：（ｉ）キャッチを解放して、シリンジをアンロックにする；そして（ｉｉ）ホルダー部材からシリンジを引き抜く。
【０１１２】
本発明の他の特徴では、医療用インジェクターシステムのシリンジホルダーへ、シリンジを入れ込む手法が提供されており、以下の工程を含む：（ｉ）シリンジバレルを、シリンジホルダーのホルダー部材へ挿入する；そして（ｉｉ）ホルダー内にシリンジが有ることを、検知システムに連繋している検知部材で検知する。
【０１１３】
本発明の他の特徴では、医療用インジェクターシステムのシリンジホルダーから、シリンジを取り除く手法が提供されており、以下の工程を含む：（ｉ）ホルダー部材からシリンジを引き抜く：（ｉｉ）ホルダー内にシリンジが無いことを、検知システムに係合された検知部材で検知する。更に、シリンジを引き抜いた後、自動的にプランジャーを戻す工程が設けられているのが望ましい。また、シリンジが完全に引き抜かれるまで、プランジャーの収縮を制限する工程も設けられるのが望ましい。望ましい実施例の一つでは、シリンジを完全に引き抜いた後、プランジャーの戻りを促進する工程が設けられている。
【０１１４】
本発明の他の特徴では、医療用インジェクターシリンジを用いて、シリンジハブをプランジャーへ接続する手法が提供されており、以下の工程を含む：（ｉ）プランジャーを、シリンジバレルに差し込み、その内部では、ハブが摺動可能に連結されており、該ハブの内部表面とプランジャーが係合している。（ｉｉ）プランジャーを駆動して、保持部材をハブの係合部に連繋する。更に、プランジャー及びハブ間の係合レベルを検知する工程が設けられることが望ましい。
【０１１５】
本発明の更に他の特徴では、シリンジホルダーを具えた医療用インジェクターシステムを変更する手法が提供されており、以下の工程を含む：（ｉ）以下で述べるように、該シリンジホルダーを別のシリンジホルダーに取り替える；そして（ｉｉ）以下のように、プランジャーを取り付ける。
本発明の他の特徴では、シリンジホルダーを具えた医療用インジェクターシステムを変更する手法が提供されており、以下の工程を踏む：（ｉ）以下で述べるように、該シリンジホルダーを別のシリンジホルダーに取り替える（ｉｉ）以下のように、プランジャーを取り付ける。
【０１１６】
本発明の更に他の特徴では、医療用インジェクターシステムを変更する手法が提供されており、以下の工程を踏む：（ｉ）以下で述べるように、該シリンジホルダーを別のシリンジホルダーに取り替える；そして（ｉｉ）以下のように、プランジャーを取り付ける。
本発明の他の特徴では、医療用インジェクターシステムを変更する手法が提供されており、検知システムを加える工程が設けられている。
【０１１７】
望ましい実施例の説明
本発明と同じ用途に用いられる代表的なインジェクターシステムは、自動インジェクター装置（１００）を含んでいる。インジェクターは、通常は、データを入力するためのデータエントリパッド（１１０）と、データを表示するためのディスプレイ（１２０）を有している。インジェクターシステムに入力できるデータの種類として、注入速度と体積を挙げることができる。従来のシステムは、インジェクター（１００）に接続され、適当なシリンジを保持するための圧力ジャケット又はスリーブ（１４０）を有している。シリンジ（３００）は、チューブ（４００）を用いて患者（図示せず）に接続される。図１に示す従来のインジェクター構造は、多くの欠点を有している。第１の欠点として挙げられるのは、シリンジ（３００）をインジェクター（１００）に取り付ける際、まず最初に、スリーブ（１４０）を取り外すか又は開けねばならないことである。そうしないと、シリンジ（３００）をスリーブ（１４０）の中へ後方から装入することができず、また、スリーブ（１４０）を再び後退させるか又は閉じないと、その中で固定できないことである。なお、スリーブ（１４０）は図１に示すように完全に閉じることもあり、この場合、シリンジ（３００）を装填した後にチューブ（４００）を取り付け、シリンジ（３００）を取り外す前にチューブ（４００）を取り外さねばならない。これは、シリンジの装着に時間を要し、汚れた血のこぼれる危険性が増す。本発明のシステムはこれらの欠点を解消したもので、スリーブ（２００）を取り外すことなく、シリンジ（３００）を前方からインジェクター（１００）の中へ直接装填することができ、再び挿入することができる。
【０１１８】
シリンジ（３００）を前方から容易に挿入できるようにするには、シリンジ自体にフランジがあってはならない。すなわち、シリンジの外側円筒表面には、通常設けられている係止用突起を設けることはできない。
【０１１９】
図２ａは本発明のシリンジを示しており、シリンジ（３００）のバレルに、ハブ（３１０）とそれに対応するシール（３２０）が挿入される。ハブ（３１０）をバレル（３００）に組み込んだ状態を、図２ｂに示す。ハブとシールは、一体の要素として作ることもできる（図４ｄ参照）。望ましい実施例において、ハブは半硬質（ｓｅｍｉ−ｒｉｇｉｄ）のプラスチックから作られ、シールは弾性材料から作られる。現実には、シリンジのメーカーが販売するシリンジは、空であるか、又は患者に注入すべき所定量の薬液が予め充填されている。なお、薬液はハブとシールの協同作用によってバレル内に保たれる。
【０１２０】
シリンジ内に入れられた薬剤の注入は、インジェクター（１００）に連繋されたプランジャー（１３０）をハブ（３１０）の内面に当接させて、インジェクター（１００）によってプランジャーを所定距離だけ移動させることにより行われる。プランジャー（１３０）を、シリンジバレル（３００）の中へ押し込むことにより、ハブ（３１０）とシール（３２０）はバレル（３００）の他方の端部に向けて相対的に移動し、これによって、薬剤はチューブ（４００）の中を通って患者（図示せず）に注入される。本発明におけるハブは、ポリプロピレン又はスチレンの如き適当な半硬質プラスチックから作られ、シールはＳａｎｔｏｐｒｅｎｅ、Ｋｒａｔｏｎ、Ｉｍｐｒｏｆｌｅｘ、Ｋｒａｉｂｕｒｇなどの弾性材料から作られる。
【０１２１】
図３は、ハブ（３１０）を様々な角度から示す図である。特に、ハブ（３１０）の内面には環状溝（３１１）が示されている。溝の断面は図４ａに示す如く、例えば、半円形、四角形、三角形など、適当な形状であってよい。また、図４ｃは、加圧下での密封状態を改善するために、シールのリップ部に延びた前方突出縁を有するシール（３２０）が組み付けられたハブを示している。図４ｄは、ハブとシールが一体になった構造を示しており、この構造の利点は製造コストの低減を図れることである。この構造の他の利点として、（１）ポリプロピレンのような低摩擦材料を用いた場合でも、潤滑性が向上する、（２）シリコーン又はその他潤滑剤が不要となる、（３）シリンジ内の粒子が減少する、（４）組立費用が低減する、ことが挙げられる。この溝の目的については、後で詳しく説明する。図４ｅは、ハブの環状シール（３１２）の断面を示している。
ハブの寸法は、用いられる具体的なシリンジに応じて決められる。例えば、代表例として、図５にその寸法を示している。
【０１２２】
インジェクターのプランジャー（１３０）の先端は、図６に明瞭に示される如く、ハブ（３１０）の内面に効果的に当たるように形成されている。環状溝（３１１）は、図示の如く、ハブ（３１０）の壁とプランジャー（１３０）の先端部表面との間に空間を形成している。プランジャー（１３０）とハブ（３１０）はぴったりと合うように接触するので、インジェクタープランジャー（１３０）による駆動力はハブ（３１０）に効率良く伝わり、ハブと該ハブに連繋されたシール（３２０）（図６には示されていない）はシリンジ（３００）の内面に沿って前進し、これにより、シリンジの中味は排出される。
【０１２３】
インジェクタープランジャー（１３０）は、予め薬剤が充填されたシリンジを空にする場合にも有用である。しかしながら、空の新しいシリンジは、インジェクター内で使用する直前に薬剤を充填することがしばしばあり、この場合、ハブとシールをプランジャー（１３０）によって後退させる必要がある。ところで、プランジャー（１３０）自体はハブ（３１０）を把持又は保持することができない。それゆえ、プランジャー（１３０）がハブ（３１０）を効果的に把持し、該プランジャーの操作によってハブとシールがシリンジバレルから後退できるようにするには、別の機構が必要となる。溝（３１１）はこのような機構を提供する。
【０１２４】
図７に示されるように、プランジャーが後退すると、ピン（１４２）は、溝又は凹部（３１１）の位置でプランジャー（１３０）から飛び出す。ピン（１４２）は、溝又は凹部（３１１）に嵌まっているときは保持部材として機能するので、インジェクタープランジャー（１３０）が後退する際、ハブ（３１０）はシリンジバレル（３００）から後退することができる。ピン（１４２）が溝又は凹部（３１１）に嵌まる機構については多くの形態が可能であり、これについては図７乃至図１６を参照してさらに詳しく説明する。
【０１２５】
図７に示す実施例において、プランジャー（１３０）は作動用ロッド（１４０）を含んでおり、該ロッドの先端にはカム部材（１４１）が突設されている。カム部材（１４１）は長円形状のロッドであり、プランジャー（１３０）がシリンジバレル（３００）に進入した状態では、水平面内にある。ピン（１４２）は、カム部材（１４１）の外側表面に当たり、バネ（１４３）によってカム部材（１４１）へ付勢されている。この位置にあるとき、ピン（１４２）の外側端部は、プランジャー（１３０）の表面の内部つまり下方にある。プランジャー／ハブ／シールは、シリンジバレル（３００）に達し、次にバレルから後退せねばならないとき、作動用ロッド（１４０）はその軸回りを回転するので、カム部材（１４１）は、図８に示す如く垂直面内にある。ピン（１４２）はカム部材（１４１）の表面に付勢されているので、カム部材（１４１）が回転すると、ピン（１４２）はプランジャー（１３０）の表面に向けて押し出され、それらの両端部はプランジャー（１３０）から飛び出して、図７に示す如く、溝又は凹部（３１１）の中に収容される。この位置にて、ハブ（３１０）はプランジャー（１３０）によって保持され、シリンジバレル（３００）から後退することが可能となる。前述したように、この機構は多くの形態をとることが可能であり、そのさらなる実施例を図９に示している。この実施例では、カム部材（１４１）は断面が四角形であり、４本のピン（１４２）をプランジャー（１３０）から突出させて、溝又は凹部（３１１）の中に収容することができる。ピン（１４２）のヘッド部はカム部材（１４１）の４つの面に付勢されているので、カム部材（１４１）が回転すると、ピン（１４２）はカム部材（１４１）の４箇所の角部によって押され、プランジャー（１３０）の表面から突出する。
【０１２６】
作動用ピン（１４２）に対する機構の他の実施例を図１０乃至図１２に示しており、ここで、カム部材（１４１）は円錐状部材（１４４）と置き換えられている。この実施例では、ピン（１４２）は、先の実施例と同様、バネ（１４３）によって円錐状部材（１４４）の外表面に付勢されている。使用の際、プランジャー（１３０）を、シリンジバレル（３００）とハブ（３１０）の中へ挿入し、作動用ロッド（１４０）を、プランジャー（１３０）の前表面（１３１）にできるだけ当たるように押圧する。このとき、ピン（１４２）の位置は、円錐状部材（１４４）の最も狭い部分にあり、バネ（１４３）によってプランジャー（１３０）の外表面から離れる方向に付勢されている。プランジャー（１３０）が後退する前又は後退する際、作動用ロッド（１４０）が表面（１３１）から離れる方向に押され、ピン（１４２）は円錐状部材（１４４）に沿って円錐面の上を摺動する。これにより、ピン（１４２）は、押し出され、プランジャー（１３０）の外表面から突出して、溝又は凹部（３１１）の中に嵌まる。これにより、ハブ（３１０）はプランジャー（１３０）によって保持され、シリンジバレル（３００）に沿って移動することができる。この構成では、４本のピンを、図１２に示されように、溝又は凹部（３１１）の中に嵌めることができる。図１０乃至図１２の円錐状構造は、「重力作用」を利用したロック機構に用いることもできる。この場合、シリンジが特定の向き姿勢をとったとき、プランジャー（１３０）だけがハブ（３１０）を保持する。図１３及び図１４に示す如き構造は、患者間でのシリンジ再使用を防止したいときに特に有用である。これは、患者相互間の感染又は汚染の虞れを少なくするので好ましい。
【０１２７】
シリンジ内への充填中は、インジェクターを上向きに傾けることが望ましい。空気をシリンジ出口に保ち、その後に取り除くためである。また、注入中は、インジェクターを下向きに傾けることが望ましい。全ての空気をシリンジの中に残存させ、注入後、全ての空気がシリンジと患者の間のチューブ内に保たれるようにして、空気が患者へ進入しないようにするためである。
【０１２８】
一般的に、新しいシリンジは、ハブとシールの構造体が、完全な後退位置すなわちシリンジバレル（３００）の後部近傍に配置された状態で取り付けられる。通常は、使用後に、プランジャーを後退させる。一実施例では、インジェクター装置（１００）を下に向けた状態で、シリンジをインジェクターのスリーブの前端部から装填し、シリンジとプランジャー（１３０）の位置を合わせる。その結果、ハブ（３１０）はプランジャー（１３０）に当接する。もし使用済みのシリンジが装填されている場合、ハブは、完全に後退したプランジャーには接触しないことに留意されるべきである。これは、ハブは、シリンジバレルの中では完全な後退位置にくることはないからである。シリンジに薬剤を入れるために、次に、シリンジを装着したインジェクターを垂直方向に傾ける。インジェクター装置が垂直方向に傾くと、図１３に示す如く、ウエイトロッド部材（１４５）はプランジャー（１３０）の円筒状穴（１３２）の中で落下する。ウエイトロッド部材（１４５）が落下すると、ピン（１４２）は円錐状部材（１４４）によって押し出され、プランジャー（１３０）の外表面から飛び出して、ハブ（３１０）の溝又は凹部（３１１）の中に受け止められる。この様にしてハブ（３１０）はプランジャー（１３０）に保持される。上向きに傾くと、（自動傾斜スイッチ及び制御部を操作することにより）、プランジャー（１３０）により、ハブ（３１０）とそのシール（３２０）（図示せず）を、シリンジバレル（３００）の先端部に向けて押すことができる。プランジャーがさらに前進できなくなると、シール（３２０）はシリンジバレル（３００）の前端部に載置され、不要な空気が排出される。
【０１２９】
プランジャーを逆方向に動かすと、ハブ（３１０）とシール（３２０）は後退し、シリンジに薬剤を入れることができる。シリンジの内容物を患者に注入するために、インジェクター装置を後方位置に戻し、プランジャーをもう一度、シリンジバレル（３００）に沿って前進させて、シリンジの内容物を排出する。インジェクター組立体が下方を向いているとき、ウエイトロッド部材（１４５）は、穴（１３２）の中の最前方位置に戻される。これによって、ピン（１４２）は、バネ（１４３）の作用によってプランジャー（１３０）の外表面の下方へ後退する。これは、ピン（１４２）のヘッドが円錐状部材（１４４）の狭くなった箇所に位置するからである。注入工程が完了すると、プランジャー（１３０）は自動的にシリンジバレル（３００）から後退する。ピン部材（１４２）はプランジャー（１３０）の中へ後退しているので、ハブ（３１０）はもはやプランジャーによって保持されず、シリンジバレル（３００）の最前部に残ったままである。それゆえ、使用済みのシリンジ（使用されたばかりか、後で再装填されたかは関係なく）を再使用することはできない。これは、ハブ（３１０）がシリンジバレル（３００）に沿って（少なくとも部分的に）前進した場合には、ハブは、完全に後退したプランジャー（１３０）とは接触しないからであり、インジェクターが上方に傾いているとき、保持されないからである。
【０１３０】
インジェクター装置を再び垂直位置へ起こすと、ウエイトロッド部材（１４５）は重力によって落下し、ピン（１４２）はプランジャー（１３０）の上表面を超えて突出する。プランジャー（１３０）が前進してバレル（３００）の中に進入しても、ピンは突出しているから、ハブ（３１０）の後端部を超えて進むことはできない。これは、シリンジが使用済みであることと、未使用のシリンジを得るべきであることを、使用者に警告する。
【０１３１】
ロック機構のさらに他の実施例では、プランジャー（１３０）のバレルの内部にある作動用ロッド（１３３）に接続されたカム部材（１５４）を用いることを含んでいる。この構成は、図１５及び図１６に示されている。プランジャー（１３０）／ハブ（３１０）／シール（３２０）がシリンジのバレル（３００）の中を前進する間、作動用ロッド（１３３）によって、カム部材（１３４）はノーズが図１５及び図１６の位置から下方へ向くようなっている。従って、カム部材（１３４）のどの部分もプランジャー（１３０）から突出しない。ハブ（３１０）をシール（３２０）（図１５及び図１６には示されていない）と共に、後退させる必要が生ずると、作動用ロッド（１３３）を、曲った矢印の方向に回転させればよい。これにより、カム部材（１３４）のノーズはプランジャー（１３０）の表面から突出して、溝又は凹部（３１１）の中に受け止める。このようにして、ハブ（３１０）とそれに接続されたシール（２３０）はプランジャー（１３０）によって保持され、プランジャー（１３０）が後退したとき、シリンジバレルの中を後退することができる。
【０１３２】
ピン部材（１４２）（図７乃至図１４）は、必ずしも別々のピンである必要はなく、プランジャー（１３０）内で一体リングの形態であってもよい。このリングは、前進中、プランジャー（１３０）の表面と同一平面か又はそれより下にあり、膨張すると、プランジャー（１３０）の表面から突出し、溝又は凹部（３１１）の中に嵌まる。
【０１３３】
この構成を図１７に示しており、プランジャー（１３０）は本体部（１３９）とノーズ部（１３６）の２つの部分に分かれている。これら２つの部分は、作動用ロッド（１３５）によって接続され、その前端部はノーズ部（１３６）の中に埋め込まれている。作動用ロッド（１３５）を前方へ押すと、ノーズ部（１３６）は少しだけ長手方向に移動し、本体部（１３９）とノーズ部（１３６）の間にギャップが形成される。ギャップ（１３７）の径方向両端部は、面取りされており、隙間（１３８）が形成される。隙間の大きさは、ギャップ（１３７）の大きさに依存する。隙間（１３８）の中には、膨張可能なリング（８００）がある。これは、ゴム製のＯリング、金属製円形クリップ、その他適当なリング部材であってよい。リング（８００）は、中心に向けて付勢されており、隙間（１３８）の中、及びプランジャー（１３０）の表面より下方のできるだけ深いところに配置される。これは、プランジャー（１３０）がシリンジに沿って前方へ移動したと考えられる位置である。
【０１３４】
ハブ（３１０）を後退させるには、作動用ロッド（１３５）を後方に移動させて、ギャップ（１３７）を閉じ、それによって、隙間（１３８）がより小さくなるようにする。これによって、リング（８００）を外方に押して、プランジャー（１３０）から突出させて、溝又は凹部（３１１）の中に受け入れさせる。これによって、ハブ（３１０）はプランジャー（１３０）に対して保持される。
【０１３５】
溝又は凹部（３１１）は、ハブ（３１１）の内面の周囲全体に亘って形成する必要はなく、プランジャー（１３０）から個々のピンをハブ（３１０）の中で受け入れる凹部を個々に設けた形態であってよい。もし、ロッド（１３５）がインジェクターの駆動部材であり、プランジャー本体（１３９）が図３９ａ及び図３９ｂに示された摩擦リングシステムによる規制を受ける場合、前述したハブの保持機能は自動的に行われることは理解されるであろう。
【０１３６】
インジェクター装置（１００）内におけるシリンジバレル（３００）の装着と保持について、図１８ａ乃至図１８ｅ乃至図２１を参照して説明する。図１８ａ乃至図１８ｄは、シリンジホルダー部材（ｓｙｒｉｎｇｅ ｃｒａｄｌｅ ｍｅｍｂｅｒ）の様々な実施例を示しており、ホルダーはスリーブ（２００）と該スリーブに連繋されたキャッチ（５００）である。図１８ｅは、ホルダーが、シリンジバレル（３００）を収容したクレードル（２０５）である実施例を示している。
【０１３７】
スリーブ（２００）の最も左（紙面から見たとき）の端部、つまり後部は、インジェクター装置の開口部へ挿入される。また、シリンジバレル（３００）は図示の如く、スリーブ（２００）の右側に見える斜めの開口より後部を最初にスリーブ（２００）の中へ滑らせて挿入される。図１８ｂ及び図１８ｄは、他の実施例を示しており、ホルダーはシリンジバレル（３００）を収容したスリーブ（２００）である。また、前述したように、シリンジ（３００）の基部にはハブ（３１０）と該ハブに接続されたシール（３２０）が配置される。シリンジホルダー（２００）は、インジェクター（図示せず）のノーズ（１０）に係止されている。キャッチ（５００）とホルダー（２００）の連結は、ヒンジ（５１０）によってなされている。スプリング（５４０）は、キャッチ（５００）の一端部をスリーブ（２００）から遠ざかる方向に付勢しているから、シリンジキャッチ（５２０）は、図１９に示すように、スリーブ孔（５３０）を通して上向きに付勢されている。シリンジバレル（３００）をスリーブ（２００）に挿入すると、シリンジがシリンジキャッチ（５２０）の傾斜面を通って摺動することにより（使用者の操作により）、下向きの力が生じ、その力によってシリンジキャッチ（５２０）は下向きに移動する。シリンジバレル（３００）がスリーブ（２００）の中に完全に挿入されると（シリンジストッパーリング（２１０）によって規制される）、バネキャッチ（５２０）は、スナップ式にその安定位置へ戻り、シリンジバレル（３００）の前部（３３０）に当たる。これによって、スリーブ（２００）内でシリンジバレルを保持する。この保持力は、インジェクターがプランジャー（１３０）をバレル（３００）の中へ押し込んで、シリンジの中味を排出するときに、シリンジが受ける圧力に耐え得る強さを有している。実際のところ、キャッチ（５２０）の立ち上がった前縁部（５２１）は傾斜しており、スリーブ孔（５３０）の同様に傾斜した前縁部と平行である。この角度は、フランジ（３３０）が孔（５３０）の前縁部に作用する力のモーメントに対して９０度より大きくなるように注意深く選択される。このようにして、くさび又はあり継ぎの如く係合し、シリンジがプランジャーによって前進させられるとき、キャッチ部材（５２０）が外れないようにしている。これにより、非常に強固な保持手段がもたらされる。
【０１３８】
また、シリンジスリーブ（２００）は、挿入されたシリンジバレル（３００）に対して、密着状態で嵌まる。これは、インジェクター内の高圧力による膨張に抗してシリンジを支持する作用を有しており、これによって、より薄肉で低コストのシリンジが可能となる。スリーブ（２００）はまた、シリンジ内の観察に支障が生じないように（例えば、シリンジ内に空気が存在するかどうかを判断するために）、透明であることが望ましい。
【０１３９】
前述したように、このように構成されるから、インジェクター装置は１回の操作によって、単に前端部からスリーブの中へ摺動させるだけで、インジェクターの中へシリンジを装着することができる。この際、インジェクター装置のどの部分も取り外す必要はない。また、シリンジとハブを、特定の方向に向ける必要もない。これは、シリンジ組立体及びインジェクターの毎日の使用において、多大の時間と努力を節約する。従って、インジェクターの構造をより簡素化することができる。
【０１４０】
図２２ａは、他の望ましい実施例を示しており、ここでは、発光ダイオード（ＬＥＤｓ）の形態である照明部材（４２００）が、シリンジスリーブ（２００）の露出した後端部（最も左）に配置されており、光の一部は、スリーブの壁に達し、該スリーブ壁に沿って、光の一部は伝送される。薄く、緻密で、透明のどんな材料の場合と同様、受光した光の大部分は、内部で、長手方向と横方向に反射し、矢印（４２５０）で示される如く、スリーブの前端部で散光（ｄｉｆｆｕｓｅｄ ｇｌｏｗ）を発生する。スリーブ（４２５５）の面取りを施した前端部は、最大拡散を達成するために、ざらざら仕上げ（例えば、砂をまいたような）にすると、広角度から見ることができる。適当な光源を用いることができるが、出力の大部分がスリーブに向けて投射されるように、光源は光集束型又は反射型のものが望ましい。詳述した実施例では、ＬＥＤｓを使用する。
【０１４１】
照明源には、種々のカラーが可能であり、及び／又は、多くの審美的効果をもたらすために、パルス式であってもよい。また、使用者に対して、例えばシリンジの取外しを喚起させるために用いることもできる。
【０１４２】
患者の血液は、チューブ（４００）やシリンジ（３００）に入り込むことがある。これは、針が正しく患者の血管の中へ入ったことを調べるために、患者に接続された状態で、ハブを後退させ、チューブ（４００）から血液を引き戻してシリンジの中に入れる場合があるからである。シリンジは、前部から装填することができるので、チューブ（４００）（図１では先行技術として記載している）をシリンジに永久的に固着することができるので、使用後に着脱する必要はない。これにより、汚染血液がこぼれ出る可能性は少なくなる。
【０１４３】
インジェクターシステムの効率をさらに高めるために、シリンジのストッパーリング（２１０）は、図２２ｂに示す如く、バネ部材（２２０）によって分離した２つの部品から構成することができる。第１の部分は、固定部（２１０ａ）であって、本質的に、図１８に示すストッパーリング（２１０）の一部であり、シリンジ（２００）に取り付けられる。第２の部分は、摺動リング（２１０ｂ）であり、スリーブ（２００）の内面に摺動することができる。コイルバネ部材（２２０）は、摺動リング（２１０ｂ）を、固定リング（２１０ａ）から遠ざかるように、またスリーブ（２００）の前端部に接近するように付勢する。シリンジ（３００）をスリーブ（２００）に装填すると、その後部リムは摺動リング（２１０ｂ）に当たって、該摺動リングを固定リング（２１０ａ）の方へ付勢する。バネ部材（２２０）はその間で圧縮され、前述したように、バネキャッチ（５２０）は元に戻され、シリンジ（３００）を保持する。この状態で、シリンジ（３００）は、摺動リング（２１０ｂ）に作用するバネ部材（２２０）の力によってキャッチ（５２０）へ付勢される。従って、シリンジキャッチ（５２０）がシリンジ（３００）から係合解除されると（シリンジキャッチの解除ボタン（５５０）を押すことにより）、シリンジ（３００）は、自動的にスリーブ（２００）からその一部分が追い出されるため、インジェクターからの取外しを容易に行なえる。
【０１４４】
インジェクターの使用者は、インジェクターを使用せずに、手操作でシリンジ内を充填することを所望する場合がある。これは、シリンジ内を予め充填しておきたい場合、特に、インジェクターを常時使用しないときに大きな利点がある。
【０１４５】
シリンジへの充填を手操作で行ないたい場合、本発明では、シリンジへの充填を容易に行なうことができる。これは、図２３ａに示すように、手動充填器（７００）を用いて行なうことができる。この装置は、既に詳細に説明した手動プランジャー（１３０）であり、同様な作用を有する。使用に際し、ハブ（３１０）とシール（３２０）は、シリンジの方向に沿ってどこへでも配置することができる。シリンジを充填するには、ハブ／シールをシリンジの後方に向けて引き戻さなければならない。これをするために、手動プランジャー（１３０）を、シリンジバレル（３００）の中へ導入し、中空のハブ（３１０）の中へ押し込む。この位置では、手動充填器のヘッド内のピン（７５０）は、手動プランジャー（７００）の表面から突出することはない。これは、手動充填器内の円錐状部材（７３０）が、バネ部材（７４０）によって前方へ付勢され、ピン（７５０）を、円錐状部材（７３０）の最も狭い部分に載置させるためである。手操作（使用者の指（６１０）をプランジャーのハンドル（７１０）に当てる）によって、円錐状部材（７３０）は、手動プランジャー（７００）のヘッド部に関して引き戻され、ピン（７５０）を、外向きに押出して溝又は凹部（３１１）の中へ受け取らせ、ハブ（３１０）とシール（３２０）に係合する。このようにして、ハブとシールは、手動プランジャー（７００）によりシリンジ（３００）を通って引き戻される。これと同時に、孔（３４０）を通じて液体を引き込み、シリンジを充填する。ハブ（３１０）とシール（３２０）がシリンジの後部に達すると、手動プランジャー（７００）は、プランジャーに及ぼす後ろ向きの力を減じることにより、ハブ（３１０）から解放される。これにより、円錐状部材（７３０）はバネ部材（７４０）の力によって前方へ移動し、ピン（７５０）は前述したように凹部又は溝（３１１）から脱出することができる。充填されたシリンジは、前述したインジェクター（１００）の中へ装填できる状態にある。装置のどの部分も、どの段階にあってもシリンジの孔内面に接触することがない点に留意すべきである。もし、この接触があると、無菌シリンジに汚染の虞れがある。ハブをプランジャーに保持する機構は、図７乃至図１７に示す如く、多くの形態をとることができる。
【０１４６】
他の実施例では、充填済みシリンジは手動充填器と接続された儘としており、接続された状態のものを、首部（７３５）にて、適当に改変したインジェクターの前端部に接続することができる。この場合、手動充填器は、シリンジホルダー及び圧力スリーブとなる。完全な手動充填器は、まず初めに、シリンジへの充填に用いられ、次に、（シリンジと共に）該充填器は、インジェクターの中へ入れられる。インジェクターは後端部（７１０）を押し出し、流体をシリンジから排出する。
【０１４７】
図示の手動充填器が充填のためにだけ使われる場合（シリンジが注入を行なうために、インジェクターと連繋する）、そして、全てのシリンジの排出が完全に行われている限り、そしてプランジャー（７００）の長さは数ｍｍだけ短く形成されている場合、それはハブには達することはないので、使用済みの（排出が完全に行われた）シリンジを充填することはできない。
【０１４８】
さらなる実施例では、プランジャーノブ（７１０）に手で力を加えて、シリンジ（３００）の中味を排出することができる（例えば、インジェクターシリンジ（３００）を、従来の多くの手動シリンジとして用いることができる）。
多くのシリンジインジェクターの場合と同様、本発明に使用したシリンジには、完全に後退した位置で、ハブ／シールが供給されるのが望ましい。
【０１４９】
本発明のプランジャーにハブを保持する様々な機構は、プランジャーが完全に引っ込んだ位置にある間は動作するように構成されることが望ましく、これによって、新たなシリンジに結合し、それを保持し、その中への充填が可能となる。しかしながら、本発明のプランジャーは、シリンジ内のどんな位置にあるときでもハブに当接するように構成することを企図するものである。
【０１５０】
使用後、使用済み（又は一部使用済み）のインジェクターのハブとシールは、通常は、完全に後退した位置より少し前方位置にある。従って、本発明の装置は、通常は、使用済みシリンジに結合し、シリンジを保持し、シリンジへ充填し、シリンジを使用すること等はないので、これにより、患者どうしが汚染する機会は無くなるか又は著しく低減する。しかしながら、本発明は、シリンジ（７１）の任意の位置にハブを残すことのできる機構を広く企図するものである。
【０１５１】
キャッチ／スリーブの中でシリンジを保持するキャッチについて、数多くの構成が可能であることは理解されるであろう。図２３ｂ乃至図２３ｅは、シリンジ（３００）とシリンジホルダー（２００）、キャッチ（５００）とキャッチ部材（５２０）を示している。キャッチ（５２０）の内縁（５２６）は、シリンジ（３００）の凹んだ前フランジと相補的な形状である。図２３ｆは、キャッチ（５２０）の前縁部とシリンジ（３００）の前部の間の境界形状について３つの実施例を示している。
【０１５２】
本発明の追加の実施例の望ましい実施例は、図２４に示す主要な要素を含んでいる。延長チューブ（１０１０）は、最初に、インジェクターシリンジ（１０１４）のチップ（１０１２）に取り付けられる。シリンジ（１０１４）は、次に、インジェクター（又はシリンジポンプ）（１０１６）に取り付けられる。使用者（図示せず）は、インジェクターの制御パネル（図示せず）において、患者の所望注入量を設定し、次に、インジェクター（１６）とシリンジ（１０１４）の組立体を、図２４に示すように上向きに傾斜させ、その位置で、インジェクター内の位置又は角度の検知傾斜スイッチにより、シリンジ（１０１４）のピストン（１０３２）を、インジェクターによって自動的に所望量前進させる。当該分野の専門家であれば、傾動操作又はトリガ手段に対する応答まではいかなくても、インジェクターの設定及び自動制御については既知であろう。インジェクター（１０１６）及びシリンジ（１０１４）装置が上向きに傾斜すると、流体（１０２８）は容器（１０２６）からシリンジ（１０１４）の底部まで落下し、シリンジ（１０１４）内の空気（１０３０）はシリンジチップ（１０１２）へ上昇し、ピストンが前進したとき、チューブ（１０１０）を通じて放出される。チューブ（１０１０）の自由端は、通気部の無い特別なスパイク（１０２０）のソケット端部（１０１８）に接続される。スパイク（１０２０）は、図２４に示され、その詳細は図２５に示されている。スパイク（１０２０）の尖端部（１０２２）を、次に、流体容器（１０２６）の柔らかいゴム栓（１０２４）の中へ押し込む。スパイク（１０２０）の尖端チップ（１０２２）によって、容器（１０２６）の栓（１０２４）に孔が開く。この孔は、容器の中味（１０２８）が、スパイク（１０２０）及びチューブ（１０１０）を通り、シリンジに通じる通路を形成する。この位置では、本発明のシステムは外部空気から密封され、システム内の圧力は中立状態になる。スパイク（１０２０）は、図２５に示される逆棘（ｂａｒｂｅｄ）ネック部（１０２１）を有しているから、システムが後で加圧されたときに、栓（１０２４）から脱出することはない。次に、容器（１０２６）を、（図２４に示されるように）反転させて取り付ける。これにより、流体（１０２８）は、スパイク（１０２０）及びチューブ（１０１０）等を通じて、引き出される。
【０１５３】
使用者は、次に、インジェクター（１０１６）の「充填（ＦＩＬＬ）」ボタン（図示せず）を選択し、以下の手順を自動的に実行することが望ましい。
シリンジピストン（１０３２）をシリンジ（１０１４）のチップ（１０１２）の方へ完全に前進させ、シリンジ、チューブ（４００）及び容器内の空気（１０３０）を圧縮する。シリンジ及びチューブ（１０１０）内の無菌空気（１０３０）の大部分を、容器（１０２６）の中へ押し込み、容器（１０２６）の空間（１０３４）まで押し上げる。当該分野の専門家であれば、製造されたシリンジ（１０１２）が殺菌され、ハブ（１０３２）が図２ｂに示すように、完全に後退した状態（空気が充満している）にある限り、空気（１０３０）は無菌状態であることは理解されるであろう。遅延なく、ピストン（１０３２）を、所定量を僅かに超える程度（例えば１３０％）まで自動的に後退させると、流体（１０２８）は、容器（１０２６）から、スパイク（１０２０）とチューブ（１０１０）を経て、シリンジ（１０１４）の中へ速やかに送り込まれる。これは、容器（１０２６）内の空気圧（１０３４）と、ピストン（１０３２）の後退によるシリンジ内の部分真空状態による補助作用が働くためである。圧力を均等化させ、流体を完全に移すために少し時間を遅らせた後、設定流量より多い流体と、幾分の残留空気でシリンジ（１０１４）の充填を行なう。ピストン（１０１４）を次に、直ちに、そして自動的に前進させて、所定量に戻し、全ての残留空気と余分の流体を放出して容器（１０２６）へ戻し、シリンジ（１０１４）の全体を所定量の流体で充填し、シリンジ（１０１４）又はチューブ（１０１０）のどちらにも空気が残らないようにする。
【０１５４】
この段階で、「ＦＩＬＬ」段階は終了する。なお、本発明のシステムは中立圧力であることが重要であり（その理由は、ピストンは、システムが密封された位置に戻されているため）、チューブを容器から外したとき（又はスパイクを取り除いたとき）、システムは空気を吸い込まないし、流体は落下しない。
容器（１０２６）は正しい位置にあり、チューブ（１０１０）をスパイクコネクタ（１０１８）から取り外し、注射待機状態の患者に接続する。
【０１５５】
当該分野の専門家であれば、以下の構成は、この分野で通常の手順であることは理解されるであろう。それゆえ、この明細書では図示しないが、発明を実行及び使用する上で重要である。
・流体経路に使用される要素と、各要素内に含まれる空気は、製造中に殺菌される。
・医療用流体の容器には、通常、僅かな空間があり、空気又はガスがある。
・流体を取り出す（ｔａｐｐｉｎｇ）前に、栓中央に被せた保護キャップを取り除く（スパイクが接近できるようにするため）。しかしながら、栓保持器（１０２５）（図２４に示す）は容器に残された儘である（そうしないと、栓は、充填中、空気圧によって外れるかもしれないからである）。
・インジェクターシリンジは、一般的には、後退した状態のプランジャーに合わせて取り付けられている（即ち、無菌空気で充満している）。
・シリンジ、チューブ及びスパイクは、標準のルアー注射器のロック式コネクタを有しており、圧力下で確実に固定され密封される。
【０１５６】
システムに対する以下の変更は、状況によっては、発明を向上させることができる。
・「ＦＩＬＬ」工程のプログラムは、特に、シリンジの最大容量に近い体積に対して、前進−後退サイクルを追加することができる。これは、全ての空気が排出されたことを確認するためである。シリンジの容量に近い量（＞７５％）が充填されると、１３０％後退させるのに、ピストン行程が不足する。それゆえ、全ての空気を排出するために、追加のストロークが必要である。この「１３０％」の数値は、チューブの（空気）の体積と、容器内の空気空間の関数であり、チューブ体積が多くなると（又は容器内の空気空間が少なくなると）、より多くの行程を必要とする。
・充填工程中、ピストンの最初の圧力ストロークにより、全ての空気をシリンジから放出するのが望ましい。なお、特にＸ線の場合、容器は通常、十分な空気空間を有している。
・或いはまた、少量の空気空間を有する容器の場合の性能を最適化するために、押圧中、インジェクターに、システム内の圧力を感知させ（例えば、駆動手段の負荷を検知することにより）、圧力が危険レベルに達したときは、早い目に後退させることもできる。
・制御用電子部とそれに関連するディスプレイ及びスピーカにより、使用者に対して、充填作業における次のステップ又は何をすべきかを速やかに告知することができる。
・インジェクター傾斜スイッチ（又はセンサー）を用いて、インジェクターの他の機能をトリガ又は抑制することもできる。例えば、インジェクターとシリンジが下向きになるまで注射を抑制したり、充填中の流速が速くなるようにすることができる（患者への注入が危険となる速度）。
・シリンジ（１０１４）に、製造工程で既に組み立てられている延長チューブ（１０１０）とスパイク（１０１４）（図２４参照）を配備することにより、使用者の要する時間をされに少なくすることができる。
・シリンジ（１０１４）とチューブ（１０１０）を製造する際、チューブ（１０１０）をシリンジの先端（１０１２）に直接接合し、シリンジ先端（１０１２）の無菌性を保護し、コネクター（１０１３）を配備することにより、製造及び材料費を低減することができる。このコネクターは、通常は、チューブ（１０１０）をシリンジの先端（１０１２）（図３１乃至図３３参照）に取り付けるのに用いられる。同じように、チューブの接続が解除されることはなく、汚染された流体が解放されることはないので、安全性は向上する。
・空気検知器（光学式、超音波式など）をチューブに取り付けて、充填後、空気が存在しないことを確認し、空気が除去されるまで、インジェクターの操作ができないようにする。
・シリンジ（１０１４）及びそれに連繋された延長チューブ（１０１０）は、壊れ易い（ｆｒａｎｇｉｂｌｅ）スパイクにより、特別仕様の患者用コネクターに永久的に接合（１０３９）され、全体が１つの組（１０６０）として提供される。このように組み合わせることにより、コストを低減し、再使用が不可能なシステムとなり、患者間の相互感染が防止される。この概念については、以下に詳細に記載する。
【０１５７】
組立体（１０６０）（図２８に示す）を用いて、前述したように、シリンジを充填する。しかしながら、充填が完了すると、スパイクをチューブから外す代わりに、スパイク（６０）を折り外し（ｓｎａｐｐｅｄ ｏｆｆ）、患者に接続できるように、雄型ルアーコネクターを、チューブの端部に置いておく。しかしながら、重要なことは、スパイクを外した状態では、シリンジが偶発的に再充填される可能性ははるかに少ないことである。それゆえ、２人以上の患者に用いることはできず、それゆえ、患者相互間の感染を防止することができる。
【０１５８】
従来のスパイクは、壊れ易いスパイクが取り外された後も取り付けることができるため、再充填に使用され、汚染の可能性がある。この問題は、標準外のコネクター（例えば、直径がより大きなルアー）を用いることによって解消する。これは、針の上に、標準外の嵌合用相手コネクターを必要とする。また、１つの容器の中味を２以上のシリンジへ充填するのに用いるとき（そのような場合がしばしばある）、使用済みシリンジに再充填を施してしまうことにより、不注意で容器を汚染させることはない。
【０１５９】
図２６及び図２７は、雄型ルアーコネクターと、壊れ易いスパイク及びチューブ（１０１０）との組立体の種々の例（１０４０）（１０５０）を示している。図２８に示す組立体（１０６０）は、延長チューブ（１０１０）の各端部が、シリンジ（１０１４）及び壊れ易いコネクター／スパイク（１０５０）に接合されている。
【０１６０】
次に、コネクター／スパイク組立体の他の実施例について説明する。
図２６ａ乃至図２６ｄは、壊れやすいスパイク（１０４２）を有する雄型ルアーコネクターとロック用カラー（１０４７）の組合せの実施例について種々の図を示している。図２６ａは、壊れやすいスパイク（１０４２）を有するルアーコネクターとロック用カラー（１０４７）の組合せの組立前における斜視図である。ディスク（１０４３）は、スパイクの保持用グリップとして供される。壊れ易い首部（１０４４）は、図２６ｂに明瞭に示されている。この図２６ｂは、壊れやすいスパイク（１０４２）を有するルアーコネクターとロック用カラー（１０４７）の組合せの組立後における長軸方向の断面図である。ロック用カラーは、患者の針を保持するために、公知の雌型ルアーのロックネジを有しており、患者の針は、スパイクが分離された後に接続される。少し盛り上がった塊又は逆棘部（１０４８）は、一旦組み立てられた後、カラーがコネクターから滑り落ちるのを阻止する止め部材として作用する。ロック用カラー（１０４７）は、本発明にとって必須のものではないが、圧力インジェクターと共に用いることが望ましい。
【０１６１】
図２６ｃは、コネクター／スパイク／カラーを組み立てて、チューブ（１０１０）に接合した状態の側面図である。
図２６ｄは、スパイクが、壊れやすい首部（１０４４）で分離された後のコネクター／スパイク／カラーの組立体を示しており、チューブ（１０１０）の端部には、標準の雄型ルアーロックコネクター（１０４６）が残っている。
【０１６２】
図２７ａ乃至図２７ｃは、壊れ易い逆棘スパイク（１０５１）を有するルアーコネクター（１０４６）とロック用カラー（１０４７）の組合せ（１０５０）の他の実施例について種々の図を示している。逆棘部（１０５３）は、充填の加圧段階中、容器（１０２６）の栓（１０２５）からスパイクが外れるのを阻止するのに有用である。
図２７ａは、コネクター／壊れ易い逆棘スパイク／カラーの組合せ（１０５０）を示す縦断面図である。
図２７ｂは、コネクター／壊れ易い逆棘スパイク／カラーを組み立てて、チューブ（１０１０）に接合した後の組合せ（１０５０）を示している。
図２７ｃは、コネクター／壊れ易い逆棘スパイク／カラーの組合せ（１０５０）のより短い実施例を示している。当該分野の専門家であれば、スパイクの長さは、容器及び栓の大きさに応じて（比例して）、実質的に短くすることは理解し得るであろう。
【０１６３】
図２８は、コネクター／壊れ易い逆棘スパイク／カラーの組合せ（１０６０）であって、連繋された延長チューブ（１０１０）及びシリンジ（１０４０）に永久的に接合され、患者用として再使用不可能な注入装置（１０６０）を形成した実施例を示している。装置（１０６０）は次の如く使用される。最初に、スパイク（１０５１）を栓（図２８には示されていない）の中へ挿入し、シリンジ（１０１４）を前述した要領にて充填する。スパイク（１０５１）を栓から後退させた後、スパイクの端部（１０５１）を、壊れ易い首部（１０４４）で折り外して廃棄する。なお、患者（図示せず）に接続するため、公知の雄型ルアー固定チップ（１０４６）を残しておく。スパイク（１０５１）を外すまでは、組合せ（１０４１）を患者（図示せず）に接続できないことに留意されるべきである。しかしながら、スパイク（１０５１）は一旦分離されると、通常の場合、再接続することはできない。従って、連繋されたチューブ（１０１０）及びシリンジ（１０１４）を再充填することはできないから、注射を施すことができるのは、１人の患者だけである。即ち、患者と患者の間で相互感染する機会は全くない。
【０１６４】
当該分野の専門家であれば、シリンジをより従来の方法で充填するようになったとしても、通気式スパイクを壊れやすくして、雄型ルアーコネクターと組み合わせることもできることは理解されるであろう。
なお、図２９乃至図３３に示す断面図は全て、当該部品の軸心を通る縦断面図である。
【０１６５】
前述の場合も、また薬剤の場合はどこでもそうであるように、可撓性のプラスチックチューブを、硬質プラスチック入口又はルアー出口に直接、接続又は接合することが望ましいときがしばしばある。代表的な雄型ルアーロックコネクターの接続前の状態を図２９に示している。図２９ａは、全体図を示しており、図２９ｂは長軸方向の断面図を示している。シリンジ本体（２０１０）は出口コネクターチップ（２０１１）を有しており、該チップは雄型ルアーの外表面がテーパ状であり、同軸上にて、大径の雌型ロックネジ（２０１２）によって囲まれており、ネジ部から前方へ僅かに突出している。ルアーのテーパ部のほぼ全体が標準の直径に作られており、約６％のテーパは国際標準ＩＳＯ５９４に規定されている。ルアーの外テーパ部（２０１４）は図２９ｂの断面図に明瞭に示されている。シリンジ（２０１０）（チップ（２０１１）とネジ部（２０１２）を含む）は、通常、頑丈で半硬質の透明ポリプロピレンから射出成形される。
【０１６６】
図３０は、シリンジチップ（２０１１）に完全に押し込まれた軟質プラスチックチューブ（２０１６）を示している。チップ（２０１１）はテーパ状の外側部（２０１４）を有し、チューブ（２０１６）は伸びてテーパ部（２０１４）に嵌められている。この結果、チューブの外側表面（２０１８）は拡大テーパ部を形成する。
【０１６７】
図３１は、本発明のクランプの取付け前後における基本的形態を示している。クランプ（２０２０）は、半硬質プラスチックから作られ、中空のテーパ状内径（２０２１）を有する円筒形に形成され、組立てを補助するために、先端縁には小さな面取り（２０２２）が形成されている。クランプ（２０２０）は、チューブ外表面のテーパ部（２０１８）の上で、シリンジ接続部の雌型ネジ部（２０１２）の内側に、単に押し込むだけで取り付けられる。当該分野の専門家であれば、クランプ（２０２０）は、図示の如く、チューブとシリンジの両方の壁厚に適合して、内面と外面の両方に対して堅く締まり嵌めとなるように正確な寸法に作られる。
【０１６８】
圧力嵌めされると、クランプ（２０２０）の内テーパ（２０２１）は、図３１に示す如く、チューブ（２０１６）をシリンジ（２０１０）のチップ（２０１１）上に締め付ける。シリンジチップ（２０１１）もまた半硬質プラスチックから作られているので、全ての構成要素は、ルアーチップ／チューブの接続部を押圧して僅かに変形するから、極めて効果的に密封される。
【０１６９】
クランプの基本的構造に関する他の実施例を図３２乃至図３５に示している。
図３２では、コネクターの雌型ロック用ネジの内側の保持力を向上させるために、小さな環状逆棘リング（２０３２）を、逆棘クランプ（２０３０）の外表面に取り付けている。また、前述のように、クランプ（２０３０）をチューブ（２０１６）の上からシリンジ（２０１０）の中へ押し込む。逆棘部（２０３２）は雌型ネジ（２０１２）に干渉して該ネジを把持するので、雌型ネジが外れることはない。前述のように、クランプ（２０３０）の内向きテーパ（２０２１）は、チューブ（２０１６）をシリンジ（２０１０）のチップ（２０１１）の上でしっかりと締め付ける。この種のクランプは、道具を用いないで取り外すことは殆んど不可能であるから、永久的でしかも不正操作できない（ｔａｍｐｅｒｐｒｏｏｆ）用途に適する。
【０１７０】
図３３を参照すると、同様な形態の２つのクランプ（２０４０）（２０５０）の外面に、雄型ネジ（２０４２）が取り付けられている。これらは、シリンジ（２０１０）の雌型ネジ部（２０１２）に結合し、内面にテーパ部（２０２１）を形成している。ネジ部（２０４２）の目的は、チューブ（２０１６）をルアーのテーパ部（２０１４）にしっかりとクランプすることと、組立てを補助することである。組立ての際、クランプ（２０４０）又は（２０５０）を同時に、チューブ（２０１６）の外側にてシリンジネジ部（２０１２）の内側にねじ込んで、チューブ（２０１６）をルアーテーパ部（２０１４）に押し込む。これにより、前述の場合と比べて、さらにしっかりと、きつく接続される。前述の如く、クランプ（２０４０）（２０５０）の内側テーパ部（２０２１）により、チューブ（２０１６）は、シリンジ（２０１０）のチップ（２０１１）にしっかりと押し込まれる。
【０１７１】
図３３ｂは、クランプの後端部に追加の逆棘鋸歯部（２０５４）を有しており、組立ての際、クランプを把持して捩りを与えるのを補助する。当該分野の専門家であれば、後端部又はフランジについては、手、機械、工具に合わせて、及び／又は、分解されるのを防止するために、多くの形態をとれることは理解されるであろう。
【０１７２】
図３３ｃは、クランプ（２０４０）又は（２０５０）の縦断面図であって、該クランプは、雄型ネジ部（２０４２）と、チューブ（２０１６）の外側テーパ部（２０１８）に係合する内側テーパ部（２０２１）を有している。
図３３ｄは、クランプ（２０４０）又は（２０５０）の縦断面図を示している。
図３３ｅは、クランプ（２０６０）の縦断面図であって、雄型ネジ部（２０４２）と、内側に環状に設けられた突起（２０６２）を有している。
【０１７３】
図３３ｆは、クランプ（２０６０）を、チューブ（２０１６）の外側でシリンジネジ部（２０１２）の内側にねじ込み、チューブ（２０１６）をルアーのテーパ部（２０１４）に取り付けた状態を示している。クランプ（２０６０）の内面突起（２０６２）は、押圧力が、チューブ（２０１６）との接続部の小領域（２０６４）（図３３ｆには示されていない）に集中して作用するから、前述のものと比べ、より集中した圧力が加えられ、密封性が向上する。或いはまた、クランプ（２０６０）が、前述のものと同様な密封性をもたらすと共に、より少ない力で組立て（及び分解）を行なえることは理解されるであろう。
また、当該分野の専門家であれば、前述したどのクランプ構造についても、その内面に、１又は２以上の環状リングを含めてもよいことは理解されるであろう。また、突起の形状についても、具体的に使用するチューブ（図示せず）の硬さに合わせて種々の変更をなし得ることは理解されるであろう。
【０１７４】
図３４及び図３５は、図３３ａに示したネジ付きクランプ（２０４０）の後端部に取り付けられた種々のフランジ（２０７２）（２０８２）を夫々示している。クランプ（２０７０）（２０８０）の外面には、組立を容易にすると共にチューブ（２０１６）をしっかりとクランプするために、シリンジの雌型ネジ部（２０１２）と係合する雄型ネジ部（２０４２）を有している。図３５には、フランジ（２０８３）の外周に設けられた追加の鋸歯部（２０８２）を示しており、該鋸歯部はクランプ（２０８０）の時計方向への締付け（２０８４）を補助し、半時計方向への緩みを防止するもので、これにより、実質的に不正操作が不可能な接続を達成することができる。クランプ（２０７０）（２０８０）を両方とも、前述した要領にてシリンジの中へ挿入（チューブをクランプ）するが、内面に環状リングを有していても、有していなくてもよい。
【０１７５】
着脱可能なクランプを必要とする場合、図３４に示すクランプ（２０７０）が望ましい。或いはまた、クランプ（２０７０）のフランジには、どちらかの方向への把持を補助するために、非方向性鋸歯部（図示せず）を設けることもできる。
或いはまた、図３５ｂのクランプ構造（２０８０）は、逆棘部がクランプ（２０８０）とは反対方向を向いているので、締めすぎることはなく、また、クランプを常に取り外し可能な状態におくことができる。
【０１７６】
図３６は、シリンジホルダーの側部斜面図を示しており、該ホルダーは医療用インジェクター及びシリンジの存在を検知する検知システムと着脱可能な係合部を有している。シリンジホルダー（２００）は、医療用インジェクター（図示せず）のノーズ部（１０）の中で係合する。インジェクターのノーズ部（１０）上の差込み用（ｂａｙｏｎｅｔ）ポスト（３０１０）とブロック部材（ホルダーロックポスト）は、シリンジホルダー（２００）とインジェクターとの間の係合機構の一部を形成する。シリンジ（３００）は、ホルダー（２００）の中へ装填され、キャッチ（５００）によって保持される。インジェクターのノーズ部（１０）は、ホルダー（２００）の中にシリンジが存在することを検知するセンサー又はスイッチ（３１１０）を有している。図示の望ましい実施例において、センサーは光学式センサーである。
【０１７７】
ホルダーロックポスト（３０１５）は、シリンジセンサー（３１１０）に隣接しているので、シリンジホルダー（２００）は、シリンジが取り付けられた状態や注入中に、取り外すことができない。さらにまた、ホルダー（２００）が完全にロックされていない（この場合は時計方向）場合、シリンジを取り付けることはできない。この実施例は、シリンジの存在を検出するセンサーがないときに特に有用である。なお、シリンジが既に設けられている場合には、ホルダー（２００）を取り付けることはできないことは容易に理解されるであろう。
【０１７８】
シリンジホルダー（２００）をインジェクターのノーズ部（１０）と係合させるには、まず最初に、ホルダーをノーズ部に挿入し、内向きの力を緩く加えて回転させ、溝（３０２０）（図３７ａ参照）を差込み用ポスト（３０１０）と係合させる。この位置では、ホルダー（２００）はノーズ部（１０）の中に完全に入っているので、次に、ホルダーを回転させると適所でロックされる。図示の形態では、３セットの差込み用溝／ポストが周方向に等しい間隔をあけて配備されているが、これらを、適合する奇数角度に配向し、ホルダーを特定の方向にのみ係合させることもできる。シール（３１４５）は単純なＯリング又はワイパリングであってよく、これは次の２つの重要な役割を有している。
（ａ）流体がインジェクターへ入るのを防止する
（ｂ）ホルダーが偶発的に外れる可能性を少なくするための摩擦手段を提供する
【０１７９】
図３７ａ−ｄ及び図３８ａ−ｅは、シリンジホルダーの幾つかの例を示しており、該ホルダーは、差込み用アタッチメント（３０１０）、ブロック部材（ホルダーロックポスト（３０１５））、シリンジの存在を検知するためのシリンジ及び検知システムを有している。インジェクターのノーズ部（１０）には、流体シール（３１４５）、バネストッパーリング（３１４０）が取り付けられており、該バネに対して、シリンジのフラッグバネ（３１３０）が当接する。シリンジストッパ及びプランジャーブッシュ（３１３５）は、インジェクターのノーズ部（１０）の内部に載置され、シリンジ（３００）はブッシュ（３１３５）に簡単にブッシュ（３１３５）に接触し、シリンジ（３００）の医療用インジェクターへの移動を制限する。ブッシュ（３１３５）は少なくとも１つの溝（３１５０）を有しており、その中に、タブ（３１２２）（図３７ｃ参照）は摺動可能に係合している。バネ（３１３０）は、組立て中、ストッパーリング（３１４０）とフラッグ（３１２０）のタブ（３１２２）との間で押圧されるので、フラッグ（３１２０）は前方（紙面では右方向）に付勢される。シリンジが取り付けられていないとき、タブ（３１２２）はブッシュ（３１３５）に載置され、フラッグ（３１２０）の先端部はブッシュ（３１３５）の右方向へ突出する。
【０１８０】
溝（３０２０）を有するシリンジホルダー（２００）をインジェクターのノーズ部（１０）の中へ導入し、溝をピン（３０１０）に係合させて回転することにより、適所にて固定される。シリンジバレル（３００）をホルダー（２００）の中へ挿入すると、シリンジバレルはシリンジのフラッグ（３１２０）を押圧し、フラッグのタブ（３１２２）をバネ（３１３０）に押圧する。キャッチ（５００）が付勢されるので、ホルダーがなくても、シリンジ（３００）がぱたんと閉じて、適所で固定される。
【０１８１】
ホルダーロックポスト（３０１５）は、フラッグ（３１２０）とほぼ同じ幅であり、フラッグと同軸上に配備される。ホルダー（２００）が取り付けられたとき、差込み用溝（３０２０）がポスト（３０１０）と完全に係合すると（回転することなく）、フラッグ（２００）は殆んどロックポストに接触する。ロックポストが配備された位置では、シリンジが取り付けられ、フラッグ（３０２０）が押し戻されており、フラッグ（２００）がロックポスト（３０１５）と係合するので、ホルダー（２００）は反対方向（この場合、反時計方向）に回転することができない。それゆえ、インジェクターのノーズ部（１０）内で、ホルダー（２００）の回転は防止される。
【０１８２】
フラッグ（３１２０）は、面取りが施された先端部（３１２４）を有しており、シリンジ（３００）と係合してこれを把持し、回転運動を最少にしている。フラッグ（３１２０）のインジェクター方向への移動によって、センサー（３１１０）はトリガされ、シリンジがホルダー内にあることを示す信号を作り出す。本発明の場合、センサー（３１１０）は、フラッグ（３１２０）の金属表面から反射した光を検知する合成光発信器及び検知器である。作り出された信号は、制御器へ送られ、該制御器において、情報が積分され、シリンジプランジャーの移動が制御される。例えば、制御器は、シリンジが存在するという信号をセンサーが発生し終えるまで、プランジャーの移動を阻止する。シリンジ（３００）がホルダー（２００）から取り外されると、バネ（３１３０）がフラッグ（３１２０）をセンサー（３１１０）から遠ざかる方向へ押すので、反射が消される。
【０１８３】
ホルダー（２００）をインジェクターのノーズ部（１０）へ組み立てる間、ブッシュ（３１３５）とバネストッパー（３１４０）とは、通常は、接着剤、ネジ、ピン等の手段によって、ホルダー内の適当位置に固定されている。ストッパーは両方とも、摺動可能なシリンジフラッグ（３１２０）を支持するために、外表面の長手方向に小さな溝（３１５０）が形成されている。前記フラッグとフラッグバネ（３１３０）は、ブッシュ（３１３５）とストッパー（３１４０）によって適当位置に保持される。バネ（３１３０）は、バネストッパー（３１４０）とタブ（３１２２）の間に配備され、フラッグを前方へ付勢している。シリンジが装着されていないとき、フラッグ（３１２０）はシリンジストッパー（３１３５）の前方へ突出し、そのタブはスリーブストッパーの後部に当たる。シリンジストッパーの二次的機能は、プランジャーを支持し、中心位置を揃えることであり、シリンジ周囲から流体が流れ出て、インジェクターへ入らないようにするためである。
【０１８４】
シリンジフラッグ装置は、要約すると、３つの主な機能を有している。
１．　シリンジエジェクター：
フラッグ（３１２０）は溝（３１５０）の中に摺動可能に配備されており、フラッグバネ（３１３０）によって前方へ付勢されている。シリンジ（３００）がホルダー（２００）の中へ装填されると、後部リムはフラッグに衝突し、フラッグを後方へ押しやり、フラッグの先端がブッシュ（３１３５）と同一平面となるまでバネを押圧する。キャッチ（５００）が開けられると、シリンジ（３００）の一部はフラッグによって前方へ飛び出すので、シリンジを把持し取り除くことがより容易になる。
２．　チューブをシリンジに取り付けると（シリンジを装着した後）、使用者は接続部をねじり、シリンジのネジ部に接続部を係合させてロックする必要がある。シリンジが回転しないように、通常は、他方の手で保持する必要がある。しかしながら、フラッグ（３１２０）はこの役割を果たす。フラッグ（３１２０）の先端チップ（３１２４）は彫刻刀のように、鋭利で傾斜を有しており、シリンジの中へ僅かに押しつけているので、シリンジの回転は抑えられる。
３．　フラッグは、ホルダー（２００）内でシリンジの存在の検出を補助する。ＳｈａｒｐＧＰ２Ｌ２４の如き反射赤外線センサーは、入手が容易なセンサー（３１１０）である。フラッグがシリンジによって押し戻されると、フラッグの反射性後端部はセンサーによって検出され、該センサーは制御器へ信号を発する。当該分野の専門家であれば、フラッグ（３１２０）の動きを検知するのに用いられる検出又は機械的スイッチング手段として、その他に種々の形態が可能であることは理解されるであろう。
【０１８５】
図３９ａ及びｂは、シリンジホルダー内にあるシリンジの横断面図であり、ハブとプランジャーの間の係合機構の特に望ましい実施例を示している。
プランジャー（３６００）は、作動用部材（３６１０）と摺動可能に係合するが、空間（３６２５）があるので、両者間には制限された自由な遊び（ｐｌａｙ）がある。また、プランジャー（３６００）の自由な摺動は、シール（３１４６）によって幾分抑えられることに留意されるべきである。駆動部材（３５００）と作動用部材（３６１０）が方向が逆転するときはいつでも、空間（３６２５）を横切るまで、プランジャー（３６００）は移動しない。作動用部材（３６１０）及びそれに連繋された円錐体（３６５０）によりピン（３６４０）が作動し、適当な時期にハブ（３１０）の係脱が自動的に行われる。
【０１８６】
ホルダー（２００）は、インジェクターのノーズ部（１０）の中で係合する。シリンジ（３００）はホルダー（２００）の中に嵌められる。図３９ａは、プランジャーがシリンジから流体を排除する実施例を示している。プランジャー駆動体（３５００）の肩部（３５２０）は、プランジャー（３６００）と、該プランジャーの内孔に配備された作動用部材（３６１０）に係合し、押圧する。作動用部材（３６１０）は、ロッド部（３１６５）（図３９参照）と、円錐形状のノーズ部（３６５０）を有している。ノーズ部（３６５０）が前方へ移動することにより、バネ（３６６０）に付勢されたロック部材（ピン（３６４０）の形態）は、ハブ（３１０）の係合部との係合を解除する。ハブ（３１０）は、プランジャー（１３０）が前方へ移動する間及び移動した後、自動的に係合が解除される。ハブの係合を解除する目的は、注射後、使用済みのシリンジを除去することである。
【０１８７】
プランジャー駆動体（３５００）が後退すると、プランジャー駆動体（３５００）の肩部（３５２０）はプランジャー（３６００）の後縁から後退する。従って、作動用部材（３６１０）はハブ（３１０）から遠ざかる方向に引かれる。プランジャー（３６００）は少しの間静止状態となり、ノーズ部（３６５０）がピン（３６４０）に沿って摺動し、これにより、ノーズ部がプランジャー（３６００）から延び出し、ハブ（３１０）の係合部と係合する。作動用部材（３６１０）の肩部（３６３０）は空間（３６２５）を横切り、内孔の肩部（３６２０）に係合する。作動用部材（３６１０）はピン（３６４０）からさらに離間する方への相対移動は妨げられるので、ノーズ部（３６５０）はピン（３６４０）と並んで配置されることができる。それゆえ、ハブ（３１０）は、プランジャー駆動体（３５００）が後退移動する間及び後退移動した後、自動的に保持され、ハブの後退とシリンジの充填が可能となる。
【０１８８】
このシステムでは、ハブは適当な時に、ロック又はロック解除が自動的に行われるので、使用者及び患者にとって、不便さが解消され、インジェクターの安全性が向上する。なお、プランジャーが逆方向に移動するときはいつでも、本来的に自由な遊びがもたらされるように制御器をプログラミングしなければならないことは勿論である。
【０１８９】
図４０はプランジャーとハブの縦断面図であり、ハブとプランジャーとの係合を検出するセンサーの望ましい実施例を示している。シリンジ（３００）の内部には、ハブ（３１０）が摺動可能に配備されている。センサー（３３００）は、光センサーであり、光ファイバーケーブル（３３５０）がプランジャー（１３０）の中にその一部が埋め込まれている。光ファイバー（３３５０）は、露出した端部（３３５５）を有しており、該端部は、プランジャー（１３０）と同一平面にあり、透明シリンジ（３００）を通過する入射光（３３６０）を検出する。入射光は、光ケーブル（３３５０）に沿って送信される。プランジャー（１３０）が不透明なハブ（３１０）に完全に係合すると、入射光は光ケーブル（３３５０）の端部に衝突することはできない。それゆえ、光センサー（３３６０）は光の不存在を検出し、適当な信号を発生する。もし、センサーが室内光では適切に作動しないとき、可視光又は赤外線光を有するインジェクターによってプランジャーを照明することができる。
【０１９０】
この信号は、ケーブル（３３７０）を経由して、制御器へ送られ、プランジャー（１３０）の動きについてさらなる制御を行なうことができる。例えば、プランジャー（１３０）がハブ（３１０）と完全に係合したとき、ハブ（３１０）を前方へ移動させなくても、プランジャー（１３０）を自動的に停止させることができる。この実施例では、光ファイバーの端部の孔は小さいので、プランジャーがハブの中へ入るとき、周囲光は突然遮断される。従って、システムの精度と予測可能性は向上する。同じように、係合状態と非係合状態とでは、コントラストが大きいので、周囲光又は照明光のレベルは重要ではない。
【０１９１】
図４１及び図４２は、注入及び充填位置で傾斜スイッチを有する医療用インジェクターの一実施例を示している。インジェクターヘッド（４０００）は、インジェクターの制御要素及び駆動要素を含んでおり、枢軸ヘッド（４０５０）にて、インジェクター台（４１００）に取り付けられる。インジェクター台はホィール付基部に立設することが望ましい。ヘッド（４０００）は、枢軸の周りを９０度以上傾斜可能である。
【０１９２】
小さなスイッチタブ（４０３０）は、インジェクター台（４０３０）から延びている。スイッチ（４０１０）（４０２０）は、ＤＯＷＮ（４０２０）及びＵＰ（４０１０）の反対側の位置にあるスイッチタブに衝突するような位置でヘッドに取り付けられる。これらの位置では、適当なスイッチが状態を変化させて、制御回路（図示せず）に対して、ヘッド（４０００）の向きを通信する。これらの通信は、インジェクターにおける複数の機能、操作、ディスプレイ、応答及び／又は安全装置を起動又は抑制するのに用いることができる。
【０１９３】
当該分野の専門家であれば、スイッチ（４０１０）（４０２０）に代えて、磁気式、光学式、機械式などの様々なセンサーを使用可能であることは理解し得るであろう。ヘッドの多くの方向を検知するために、複数のタブ及びスイッチを使用できることも留意されるべきである。
上記概念は、地球の重力とは関係なく実施できることに留意されるべきである。
【０１９４】
当該分野の専門家であれば、前述の発明が、多くの医療用装置に用いられる標準雄型ルアー固定コネクターのどれにも適用できることは理解されるであろう。また、用途に応じて、外面と内面の種々の組合せ、前述の後端部又はフランジの任意の組合せも可能であることは理解されるであろう。
【０１９５】
本明細書で用いられる「具えている（ｃｏｍｐｒｉｓｉｎｇ）」なる語は、請求の範囲に規定された発明を限定するものではなく、その他の変形又は追加を排除するものではない。
当該分野の専門家であれば、発明について変形及び改良をなし得ることは明らかであろう。そのような変形及び改良は、発明の範囲内に含まれるものである。
【図面の簡単な説明】
【図１】
シリンジが装填されている、従来例のインジェクターを示す図である。
【図２】
図２ａは、本発明において使用されるようなシリンジの様々な構成要素を示している。
図２ｂは組み立てられたシリンジを示している。
図２ｃは、図２ｂの組み立てられたシリンジを、プランジャーと併せて示している。
【図３】
図３ａは、ハブの斜め側面図である。
図３ｂは、ハブの側面図である。
図３ｃは、組み立てられたハブ及びシールの断面図である。
図３ｄは、ハブの正面図である。
図３ｅは、ハブの背面図である。
【図４】
図４ａは、溝状になったハブの係合部分について、その他の構造を示している。
図４ｂは、ハブ及び係合部分の断面図である。
図４ｃは、幅を広げた前縁を有する従来型シールを具えている、ハブ及び係合部分の断面図である。
図４ｄは、ハブと一体構造のシールを有している、ハブ及び係合部分の断面図である。
図４ｅは、Ｏリングのシールを有している、ハブ及び係合部分の断面図である。
図４ｆは、ハブの係合部分のさらに別の構造を示している。
【図５】
ハブの寸法の一例を示す図である。
【図６】
ハブと嵌まり合っているプランジャーの断面図である。
【図７】
プランジャー／ハブの互いに係合した構成の１つの考え得る実施例を示す側断面図である。
【図８】
図７の線Ａ−Ａに沿った正面断面図である。
【図９】
図８に関する他の構成を示す図である。
【図１０】
プランジャー／ハブの互いに係合した構成に関する他の実施例を示す図である。
【図１１】
図１０の線Ａ−Ａに沿った正面断面図である。
【図１２】
図１１に関する他の構成を示す図である。
【図１３】
プランジャー／ハブの互いに係合した構成に関する他の構成を示す図である。
【図１４】
図１３の線Ａ−Ａに沿った正面断面図である。
【図１５】
プランジャー／ハブの互いに係合した構成に関するさらに別の構成を示す図である。
【図１６】
図１５の線Ａ−Ａに沿った正面断面図であって、カムを詳細に示している。
【図１７】
プランジャー／ハブの互いに係合した構成に関するさらに別の構成を示す図であって、リング作動式のハブ用ロック機構を具えている。
【図１８】
図１８ａは、キャッチ付きシリンジホルダーの側面図である。
図１８ｂは、図１８ａのシリンジホルダー及びキャッチであって、シリンジ及びハブがシリンジホルダー内に配置された状態を示している。
図１８ｃは、図１８ａのシリンジホルダー及びキャッチの斜め側面図である。
図１８ｄは、図１８ｂのシリンジホルダー、キャッチ及びシリンジの斜め側面図である。
図１８ｅは、本発明によるシリンジホルダー、キャッチ及びシリンジの斜め側面図である。
【図１９】
インジェクターのスリーブ内にあるシリンジホルダー／シリンジの組合せを示す側断面図であって、シリンジはキャッチによって保持されている。
【図２０】
図１９の線Ａ−Ａに沿った断面図である。
【図２１】
図１９の線Ｂ−Ｂに沿った断面図である。
【図２２】
図２２ａは、インジェクターのスリーブ内にあるシリンジホルダー／シリンジの組合せを示す側断面図であって、シリンジはキャッチによって保持された状態である。照明部材を描いている。
図２２ｂは、自動取出し式機構を配備した図１９の構成を示している。
【図２３】
図２３ａは、シリンジ手動注入器となるように作られたプランジャー、及び関連したホルダーを示している。
図２３ｂは、凹形になったシリンジの前方フランジと、それに対応している鳩尾形キャッチとを具えている、シリンジ及びシリンジホルダーを示している。
図２３ｃは、凹形の前方フランジを有するシリンジの斜視図である。
図２３ｄは、凹形の前方フランジを有するシリンジの断面図である。
図２３ｅは、本発明による鳩尾形キャッチの断面図である。
図２３ｆは、本発明による鳩尾形キャッチの様々な他の構成を断面図で例示している。
【図２４】
充填操作の間、向きが決められるときの、システム中の所定重要要素の繋がりと向きを示す。
【図２５】
医療用流体の瓶の栓を開けるための突刺付スパイクの一例を示す図である。
【図２６】
図２６は、雄型ルアーコネクタと、折れやすいスパイクとの組合せの様々な実施例を示している。
図２６ａは、折れやすいスパイクを有する雄型ルアーコネクタと、ロック用カラーと、チューブとの組合せを、組み立てる前の斜視図である。
図２６ｂは、折れやすいスパイクを有する雄型ルアーコネクタと、ロック用カラーとの組合せを、組み立てた後の縦軸断面図である。
図２６ｃは、折れやすいスパイクを有する雄型ルアーコネクタと、ロック用カラーと、チューブとの組合せを、組み立てて接合した後について示している。
図２６ｄは、折れやすいスパイクを有する雄型ルアーコネクタと、ロック用カラーと、チューブとの組合せであって、スパイクの折れやすい頸部が「折られた」後を示している。
【図２７】
突刺付の折れやすいスパイクを有する雄型ルアーコネクタ、及びロック用カラーの一例を示している。
図２７ａは、突刺付の折れやすいスパイクを有する雄型ルアーコネクタ、ロック用カラー及び接合されたチューブの縦軸断面図である。
図２７ｂは、突刺付の折れやすいスパイクを有する雄型ルアーコネクタ、ロック用カラー及び接合されたチューブの一例を、組み立てて接合した後について示している。
図２７ｃは、突刺付の折れやすいスパイクを有する雄型ルアーコネクタ、ロック用カラー及び接合されたチューブについて、長さの短かい一例を示している。
【図２８】
雄型ルアーコネクタと、折れやすいスパイクとの組合せであって、関連した延長チューブ及びシリンジへ恒久的に接合されて、再使用して患者へ注入することが不可能な装置を形成していることを示す図である。
【図２９】
一般的なシリンジ用雄型ルアーコネクタを図示している。
図２９ａは、図３０のルアーコネクタの外側の全体図である。
図２９ｂは、一般的なシリンジ用ルアーコネクタの縦軸断面図である。
【図３０】
一般的なルアーの先端へ押し込まれている一般的な軟性プラスチックチューブの縦軸断面図である。
【図３１】
図３１は、本発明による基本形態又は一般形態のクランプについて、様々な図を示している。
図３１ａは、一般的なクランプの側面図を示している。
図３１ｂは、一般的クランプの斜視図を示している。
図３１ｃは、一般的なクランプの縦軸断面図である。
図３１ｄは、ルアーの先端へ押し込まれている一般的な軟性プラスチックチューブと、ルアーロッキング式シリンジの雌ネジ山へ圧入されている一般的なクランプとを示す縦軸断面図である。
【図３２】
図３２は、突刺付リングを具えているクランプを描いている。
図３２ａは、外表面に環状の突刺リングが加えられている、クランプの外側斜視図である。
図３２ｂは、外表面に環状の突刺リングが加えられている、クランプの縦軸断面図である。
図３２ｃは、ルアーロッキング式シリンジの雌ネジ山へ圧入されている。チューブを関連した雄型ルアー先端へ圧締している突刺付クランプの縦軸断面図を描いている。
【図３３】
図３３は、雄ネジを具えているクランプを描いている。
図３３ａは、雄ネジを具えている一般的なクランプを描いている。
図３３ｂは、雄型外ネジを具えている一般的なクランプに、ギザギザの付いたグリップをクランプの後端部に加えて描いている。
図３３ｃは、外表面に雄型外ネジが加えられている一般的なクランプの縦軸断面図を描いている。
図３３ｄは、雄型外ネジを具えている一般的なクランプの縦軸断面図であって、ルアーロッキング式シリンジのロック用雌ネジ山へねじ込まれて、チューブを関連した雄型ルアー先端へ圧締しているのを描いている。
図３３ｅは、雄型外ネジを具えている一般的なクランプの縦軸断面図であって、クランプ表面の内側に環状リッジが加えられているのを描いている。
図３３ｆは、雄型外ネジと、さらに環状リッジを具えている一般的なクランプの縦軸断面図であって、ルアーロッキング式シリンジのロック用雌ネジ山へねじ込まれて、チューブを関連した雄型ルアー先端へ圧締しているのを描いている。
【図３４】
図３４は、クランプの後端部に加えられたフランジを描いている。
図３４ａは、クランプの後端部に一般的フランジが加えられている、ねじ込みクランプの側面図を示している。
図３４ｂは、クランプの後端部に一般的フランジが加えられている、ねじ込みクランプの背面図を示している。
【図３５】
図３５は、クランプの後端部に加えられたフランジを示している。
図３５ａは、フランジの外周に突刺歯が加えられている、不正操作防止機能付ねじ込みクランプの側面図を示している。
図３５ｂは、フランジの外周に突刺歯が加えられている、不正操作防止機能付ねじ込みクランプの背面図を示している。
【図３６】
医療用インジェクターと着脱可能に係合できるようにする係合部分と、シリンジの存在を検出するための感知システムと、を具えているシリンジホルダーの側面斜視図である。
【図３７】
図３７ａは、差込み式取付部材と、装填されたシリンジと、シリンジの存在を検出するための感知システムと、を具えているシリンジホルダーの分解斜視図である。
図３７ｂは、図３７ａのホルダー及びシリンジの断面図を示している。
図３７ｃは、シリンジ感知システムとともに使用するシリンジフラッグを示している。
図３７ｄは、ホルダーロックピンを有するインジェクターのノーズ部の断面図を示している。
【図３８】
図３８ａは、差込み式取付部材と、装填されたシリンジと、シリンジの存在を検出するための感知システムと、を具えているシリンジホルダーの縦断面図を示している。
図３８ｂは、図３８ａのシリンジホルダー及びシリンジの線ＭＭを通して切断した横断面図を示している。
図３８ｃは、図３８ａのシリンジホルダー及びシリンジの線ＬＬを通して切断した横断面図を示している。
図３８ｄは、図３８ａのシリンジホルダー及びシリンジの線ＫＫを通して切断した横断面図を示している。
図３８ｅは、シリンジ感知システムともに使用するシリンジフラッグを示している。
【図３９】
図３９ａは、シリンジホルダー内のシリンジの断面図であって、シリンジから流体を放出するためにプランジャーが移動する間の、ハブとプランジャーとの間の係合機構の特に望ましい実施例を例示している。
図３９ｂは、流体をシリンジの中に引き入れるためにプランジャーが移動する間の、図３９ａのシリンジ及びシリンジホルダーを示している。
【図４０】
プランジャー及びハブの縦断面図であって、ハブとプランジャーとの係合を検出するための感知器の望ましい実施例を例示している。
【図４１】
チルトスイッチ付きのインジェクターが、注入（下向き）位置にあるときを示している。
【図４２】
チルトスイッチ付きのインジェクターが、充填（上向き）位置にあるときを示している。
【図１６】
2004501737.tif 000003
【国際公開パンフレット】
2004501737.tif 000004
2004501737.tif 000005
2004501737.tif 000006
2004501737.tif 000007
2004501737.tif 000008
2004501737.tif 000009
2004501737.tif 000010
2004501737.tif 000011
2004501737.tif 000012
2004501737.tif 000013
2004501737.tif 000014
2004501737.tif 000015
2004501737.tif 000016
2004501737.tif 000017
2004501737.tif 000018
2004501737.tif 000019
2004501737.tif 000020
2004501737.tif 000021
2004501737.tif 000022
2004501737.tif 000023
2004501737.tif 000024
2004501737.tif 000025
2004501737.tif 000026
2004501737.tif 000027
2004501737.tif 000028
2004501737.tif 000029
2004501737.tif 000030
2004501737.tif 000031
2004501737.tif 000032
2004501737.tif 000033
2004501737.tif 000034
2004501737.tif 000035
2004501737.tif 000036
2004501737.tif 000037
2004501737.tif 000038
2004501737.tif 000039
2004501737.tif 000040
2004501737.tif 000041
2004501737.tif 000042
2004501737.tif 000043
2004501737.tif 000044
2004501737.tif 000045
2004501737.tif 000046
2004501737.tif 000047
2004501737.tif 000048
2004501737.tif 000049
2004501737.tif 000050
2004501737.tif 000051
2004501737.tif 000052
2004501737.tif 000053
2004501737.tif 000054
2004501737.tif 000055
2004501737.tif 000056
2004501737.tif 000057
2004501737.tif 000058
2004501737.tif 000059
2004501737.tif 000060
2004501737.tif 000061
2004501737.tif 000062
2004501737.tif 000063
2004501737.tif 000064
2004501737.tif 000065
2004501737.tif 000066
2004501737.tif 000067
2004501737.tif 000068
2004501737.tif 000069
2004501737.tif 000070
2004501737.tif 000071
2004501737.tif 000072
2004501737.tif 000073
2004501737.tif 000074
2004501737.tif 000075
2004501737.tif 000076
2004501737.tif 000077
2004501737.tif 000078
2004501737.tif 000079
2004501737.tif 000080
2004501737.tif 000081
2004501737.tif 000082
2004501737.tif 000083
2004501737.tif 000084
2004501737.tif 000085
2004501737.tif 000086
2004501737.tif 000087
2004501737.tif 000088
2004501737.tif 000089
2004501737.tif 000090
2004501737.tif 000091
2004501737.tif 000092
2004501737.tif 000093
2004501737.tif 000094
2004501737.tif 000095
2004501737.tif 000096
2004501737.tif 000097
2004501737.tif 000098
2004501737.tif 000099
2004501737.tif 000100
2004501737.tif 000101
2004501737.tif 000102
2004501737.tif 000103
2004501737.tif 000104
2004501737.tif 000105
2004501737.tif 000106
2004501737.tif 000107
2004501737.tif 000108
2004501737.tif 000109
2004501737.tif 000110
2004501737.tif 000111
2004501737.tif 000112
2004501737.tif 000113
2004501737.tif 000114
2004501737.tif 000115
2004501737.tif 000116
2004501737.tif 000117
2004501737.tif 000118
2004501737.tif 000119
2004501737.tif 000120
2004501737.tif 000121
2004501737.tif 000122
2004501737.tif 000123
2004501737.tif 000124
2004501737.tif 000125
2004501737.tif 000126
2004501737.tif 000127
【国際調査報告】
2004501737.tif 000128
2004501737.tif 000129
2004501737.tif 000130
2004501737.tif 000131
2004501737.tif 000132